(57)【要約】【課題】  送信データのデータ量が大きい場合に、送信先の装置のメモリやＣＰＵ等の資源の負担を減らす。【解決手段】ホストコンピュータとＭＦＰがネットワーク等の伝送媒体を介して接続されたシステムにおいて、ＭＦＰのボックスに記憶された画像データをホストコンピュータへ送信する際に、送信前に送信用データサイズ（ファイルサイズ）を表示し、変更することで、ユーザーは、所望とするファイルサイズで画像データの送信が可能である。【選択図】図１
2006067116.tif 000002
【特許請求の範囲】
【請求項１】
表示部を具備する第１情報処理装置と、複数のデータを記憶可能な記憶手段のデータの出力処理が可能な第２情報処理装置と、を含む情報処理システムのデータ処理方法であって、
前記記憶手段内のデータのうちの、前記第２情報処理装置により出力処理対象となるデータの、出力時のデータサイズをユーザにより識別可能にする為の表示を、前記第１情報処理装置の前記表示部に実行させたうえで、該データの出力処理を実行可能にする、
ことを特徴とするデータ処理方法。
【請求項２】
表示部を具備する第１情報処理装置と、複数のデータを記憶可能な記憶手段のデータの出力処理が可能な第２情報処理装置と、を含む情報処理システムのデータ処理方法であって、
前記記憶手段内のデータのうちの、前記第２情報処理装置により出力処理対象となるデータの、出力時のデータサイズをユーザにより識別可能にする為の表示を、前記第１情報処理装置の前記表示部に実行させたうえで、該データの出力処理を実行可能にする第１シーケンスと、
前記記憶手段内のデータのうちの、前記第２情報処理装置により出力処理対象となるデータの、出力時のデータサイズをユーザにより識別可能にする為の表示を、前記第１情報処理装置の前記表示部に実行させること無く、該データの出力処理を許可する第２シーケンスと、のうちの、
前記第1シーケンスを、前記第１情報処理装置にてユーザによる所定の指示が入力された場合に、実行させ、
前記第１シーケンスと前記第２シーケンスのうちの前記第２シーケンスを、前記第1情報処理装置にてユーザによる前記所定の指示が入力されなかった場合に、実行させる、
ことを特徴とするデータ処理方法。
【請求項３】
表示部を具備する第１情報処理装置と、複数のデータを記憶可能な記憶手段のデータの出力処理が可能な第２情報処理装置と、を含む情報処理システムのデータ処理方法であって、
前記第２情報処理装置が、出力処理として、前記記憶手段のデータのプリント処理をプリンタ部によりプリントさせるプリント機能と、前記記憶手段のデータの外部装置への送信処理を通信手段により実行させるデータ送信機能とを含む、複数の機能を有する場合において、前記複数の機能の中から何れかの機能を選択するステップを有し、
前記選択ステップにて前記複数の機能のうちの前記データ送信機能が選択された場合に、前記記憶手段内のデータのうちの、前記第２情報処理装置により出力処理対象となるデータの、出力時のデータサイズをユーザにより識別可能にする為の表示を、前記第１情報処理装置の前記表示部に実行させたうえで、該データの出力処理を実行可能にする、第１シーケンスを、実行可能にし、
前記選択ステップにて前記複数の機能のうちの前記プリント機能が選択された場合に、前記記憶手段内のデータのうちの、前記第２情報処理装置により出力処理対象となるデータの、出力時のデータサイズをユーザにより識別可能にする為の表示を、前記第１情報処理装置の前記表示部に実行させる事無く、該データの出力処理を許可する第２シーケンスを、実行可能にする、
ことを特徴とするデータ処理方法。
【請求項４】
請求項３に記載のデータ処理方法であって、
前記複数の機能のうちの前記データ送信機能が選択された場合においても前記第１情報処理装置を介して入力されるユーザからの指示により前記第２シーケンスを実行可能にすることを特徴とするデータ処理方法。
【請求項５】
請求項３に記載のデータ処理方法であって、
前記複数の機能のうちの前記データ送信機能が選択された場合には前記第１シーケンスを自動的に実行可能にすることを特徴とするデータ処理方法。
【請求項６】
請求項１乃至５の何れかに記載のデータ処理方法であって、
前記第１情報処理装置として、前記第２情報処理装置のステータスを確認可能な、該第２情報処理装置に遠隔の、コンピュータにおいて、前記第２情報処理装置の為の操作がなされる場合において、
前記第２情報処理装置により出力処理対象となるデータの、出力時のデータサイズをユーザにより識別可能にする為の表示を、該コンピュータの表示部に実行させたうえで、該データの出力処理を前記第２情報処理装置に実行させる指示を、前記コンピュータにて入力可能とする、ことを特徴とするデータ処理方法。
【請求項７】
請求項６に記載のデータ処理方法であって、
前記第２情報処理装置により出力処理対象となるデータの、出力時のデータサイズをユーザにより識別可能にする為の表示を、該コンピュータの表示部に実行させるにあたり
前記第２情報処理装置が具備する前記記憶手段に記憶された複数のデータのうちの前記第1情報処理装置にて選択されたデータの出力時のデータサイズに関する情報をリクエストする為の指示を、前記第１情報処理装置から前記第２情報処理装置に対して、通信手段を介して、送信し、
前記指示に対して前記第２情報処理装置から出力される前記情報を、前記通信手段を介して、前記第１情報処理装置にて受信し、
前記第１情報処理装置にて受信した前記情報に基づいた表示を、前記第２情報処理装置により出力処理対象となるデータの出力時のデータサイズをユーザにより識別可能にする為の表示として、該コンピュータの表示部に実行可能にする、
ことを特徴とするデータ処理方法。
【請求項８】
請求項１乃至７の何れかに記載のデータ処理方法であって、
前記第１情報処理装置として、前記第２情報処理装置自身が具備する操作部の表示部に、前記第２情報処理装置により出力処理対象となるデータの出力時のデータサイズをユーザにより識別可能にする為の表示を、実行させたうえで、該データの出力処理を前記第２情報処理装置に実行させる指示を、前記第２情報処理装置自身が具備する操作部を介して、入力可能とする、ことを特徴とするデータ処理方法。
【請求項９】
請求項１乃至８の何れかに記載のデータ処理方法を実行可能な情報処理システム。
【請求項１０】
請求項１乃至８の何れかに記載のデータ処理方法を実行する為のコンピュータ読取可能な記憶媒体。
【請求項１１】
請求項１乃至８の何れかに記載のデータ処理方法を実行する為のプログラム。
【請求項１２】
請求項１乃至５の何れかに記載のデータ処理方法であって、
前記第１情報処理装置として、前記第２情報処理装置のステータスを確認可能な、該第２情報処理装置に遠隔の、コンピュータにおいて、前記第２情報処理装置の為の操作がなされる場合において、
前記第２情報処理装置により出力処理対象となるデータの、複数の設定に基づいた出力時の夫々のデータサイズをユーザにより識別可能にする為の表示を、該コンピュータの表示部に実行させたうえで、該データの夫々の出力処理を前記第２情報処理装置に実行させる指示を、前記コンピュータにて入力可能とする、ことを特徴とするデータ処理方法。
【請求項１３】
報知手段を具備する第１情報処理装置と、複数のデータを記憶可能な記憶手段のデータの出力処理が可能な第２情報処理装置と、を含む、情報処理システムのデータ処理方法であって、
前記記憶手段内のデータのうちの、前記第２情報処理装置により出力処理対象となるデータの、出力時のデータサイズをユーザにより識別可能にする為の情報を、前記第１情報処理装置の前記報知手段に報知させたうえで、該データの出力処理を実行可能にする、ことを特徴とするデータ処理方法。
【請求項１４】
報知手段を具備する第１情報処理装置と、複数のデータを記憶可能な記憶手段のデータの出力処理が可能な第２情報処理装置と、を含む、情報処理システムのデータ処理方法であって、
前記記憶手段内のデータのうちの、前記第２情報処理装置により出力処理対象となるデータの、出力時のデータサイズをユーザにより識別可能にする為の情報を、前記第１情報処理装置の前記報知手段に報知させたうえで、該データの出力処理の実行を許可するか禁止するかを、前記第1情報処理装置を介してユーザにより選択可能にする、ことを特徴とするデータ処理方法。
【請求項１５】
報知手段を具備する第１情報処理装置と、複数のデータを記憶可能な記憶手段のデータ出力処理が可能な第２情報処理装置と、を含む、情報処理システムのデータ処理方法であって、
出力対象となるデータが第１のデータサイズで前記第２情報処理装置によりデータ出力されるような第１処理条件を、前記第１情報処理装置を介してユーザにより設定可能にし、且つ、出力対象となるデータが前記第１のデータサイズよりもデータ量の小さい第２のデータサイズで前記第２情報処理装置により出力されるような第２処理条件を、前記第１情報処理装置を介してユーザにより設定可能にし、
前記第１処理条件が前記ユーザにより前記第１情報処理装置を介して設定された場合に、出力対象となるデータが前記第１のデータサイズで出力されることを前記ユーザが確認できる情報を、前記第１情報処理装置の前記報知手段により、報知させたうえで、前記ユーザにより前記第１の処理条件から前記第２処理条件に前記第１情報処理装置を介して設定変更可能にする、ことを特徴とするデータ処理方法。
【請求項１６】
請求項1乃至１５の何れかに記載のデータ処理方法であって、
前記第1情報処理装置は、前記第２情報処理装置に遠隔に設置されている装置を含み、該第1情報処理装置から前記第２情報処理装置を遠隔操作可能にすることを特徴とするデータ処理方法。
【請求項１７】
請求項１乃至１６の何れかに記載のデータ処理方法であって、
前記第1情報処理装置は、前記第２情報処理装置自身が具備する操作部を含み、
前記第１情報処理装置としての該操作部から前記第２情報処理装置を操作可能にすることを特徴とするデータ処理方法。
【請求項１８】
請求項１乃至１７の何れかに記載のデータ処理方法であって、
前記第１情報処理装置は、コンピュータおよび携帯端末装置の少なくとも何れかを含み、
前記第２情報処理装置は、画像形成装置及びデジタルカメラ及びスキャナ装置の少なくとも何れかを含むことを特徴とするデータ処理方法。
【請求項１９】
請求項１乃至１８の何れかに記載のデータ処理方法を実行する為の情報処理システム。
【請求項２０】
請求項１乃至１８の何れかに記載のデータ処理方法を実行する為のコンピュータ読取可能な記憶媒体。
【請求項２１】
請求項１乃至１８の何れかに記載のデータ処理方法を実行する為のプログラム。
【発明の詳細な説明】
【技術分野】
【０００１】
本発明は、複数のデータを記憶可能な記憶手段のデータの出力処理が可能な装置を含んだ情報処理システム、及び、該システムのデータ処理方法、記憶媒体、プログラム等に関する。
【背景技術】
【０００２】
従来より、コピー機能等を具備するデジタル複合機等の情報処理装置において、リーダーで読み取ったデータをメモリに格納して、該データをコンピュータや他のデジタル複合機等の別の情報処理装置に送信可能にするデータ送信機能を有する装置がある（例えば、特許文献１参照）。
【特許文献１】特開２００１−３５８８５７号公報
【発明の開示】
【発明が解決しようとする課題】
【０００３】
しかしながら、上記データ送信機能を有するデジタル複合機等の情報処理装置では、送信対象となるデータのデータサイズをユーザーが確認することなく、データ送信処理を実行しているので、例えば、以下のような問題が起こりうる可能性がある。
【０００４】
例えば、カラーデータやページ数が多い場合等の送信データのデータ量が大きい場合に、送信先の装置のメモリやＣＰＵ等の資源の負担が大きくなる。又、送信先の装置が複数人で共有されているような場合には、上記の負担が増加することが予想されるため被害が大きくなるかもしれない。そこで、このような問題を解決することが望ましい。
【０００５】
本発明の目的は、上記のような問題を解決する情報処理システムのデータ処理方法、情報処理システム、記憶媒体、プログラムを提供することを目的とする。
【０００６】
さらに、上記のような問題は、データ送信元であるデジタル複合機等の情報処理装置からデータ送信先へのデータ送信を該情報処理装置の操作部でのユーザからの指示により起こりうる現象でもあるが、このようなデジタル複合機等の情報処理装置は、ホストコンピュータ等の、該情報処理装置とは遠隔の装置からも遠隔操作可能に構成されているものも提案されつつある。
【０００７】
そこで、本発明の別の目的は、例えば、上記のようなデジタル複合機を遠隔のコンピュータ等の情報処理装置の操作部から遠隔操作するような装置、システムにおいても、上記のような問題が生じることを未然に防止することができる情報処理システムのデータ処理方法、情報処理システム、記憶媒体、プログラムを提供することを目的とする。
【０００８】
さらに、上記のようなデジタル複合機は、データ送信機能以外にもコピー機能、プリント機能等の複数の機能を有している。そこで、本発明の更に別の目的は、例えば、このような、装置において、上記のような問題が発生するのを防止するがゆえに、例えばコピー機能やプリント機能の当該データ送信機能以外の機能におけるユーザの操作性や使い勝手に影響が出しまう等の不具合が発生してしまうのは好ましくないので、このような不具合を生じることを防止すると共に、上記問題発生の未然防止と、該情報処理装置が具備する他の機能の高操作性の維持との両立を図ることを目的とする。
【０００９】
そして、更に、本発明の別の目的は、上述したような目的を果たしながらも、ユーザからの様々なニーズに柔軟に対応した、使い勝手の良い、便利な、装置、システムを提供可能にすることを目的とする。
【課題を解決するための手段】
【００１０】
上記目的を達成する為に、本発明は、例えば、表示部を具備する第１情報処理装置と、複数のデータを記憶可能な記憶手段のデータの出力処理が可能な第２情報処理装置と、を含む情報処理システムの、前記記憶手段内のデータのうちの、前記第２情報処理装置により出力処理対象となるデータの、出力時のデータサイズをユーザにより識別可能にする為の表示を、前記第１情報処理装置の前記表示部に実行させたうえで、該データの出力処理を実行可能にするものである。
【００１１】
又、上記目的を達成する為に、本発明は、表示部を具備する第１情報処理装置と、複数のデータを記憶可能な記憶手段のデータの出力処理が可能な第２情報処理装置と、を含む情報処理システムの、前記記憶手段内のデータのうちの、前記第２情報処理装置により出力処理対象となるデータの、出力時のデータサイズをユーザにより識別可能にする為の表示を、前記第１情報処理装置の前記表示部に実行させたうえで、該データの出力処理を実行可能にする第１シーケンスと、前記記憶手段内のデータのうちの、前記第２情報処理装置により出力処理対象となるデータの、出力時のデータサイズをユーザにより識別可能にする為の表示を、前記第１情報処理装置の前記表示部に実行させること無く、該データの出力処理を許可する第２シーケンスと、のうちの、前記第1シーケンスを、前記第１情報処理装置にてユーザによる所定の指示が入力された場合に、実行させ、前記第１シーケンスと前記第２シーケンスのうちの前記第２シーケンスを、前記第1情報処理装置にてユーザによる前記所定の指示が入力されなかった場合に、実行させるものである。
【００１２】
又、上記目的を達成する為に、本発明は、表示部を具備する第１情報処理装置と、複数のデータを記憶可能な記憶手段のデータの出力処理が可能な第２情報処理装置と、を含む情報処理システムの、前記第２情報処理装置が、出力処理として、前記記憶手段のデータのプリント処理をプリンタ部によりプリントさせるプリント機能と、前記記憶手段のデータの外部装置への送信処理を通信手段により実行させるデータ送信機能とを含む、複数の機能を有する場合において、前記複数の機能のうちの前記データ送信機能が選択された場合に、前記記憶手段内のデータのうちの、前記第２情報処理装置により出力処理対象となるデータの、出力時のデータサイズをユーザにより識別可能にする為の表示を、前記第１情報処理装置の前記表示部に実行させたうえで、該データの出力処理を実行可能にする、第１シーケンスを、実行可能にし、前記複数の機能のうちの前記プリント機能が選択された場合に、前記記憶手段内のデータのうちの、前記第２情報処理装置により出力処理対象となるデータの、出力時のデータサイズをユーザにより識別可能にする為の表示を、前記第１情報処理装置の前記表示部に実行させる事無く、該データの出力処理を許可する第２シーケンスを、実行可能にするものである。
【００１３】
又、上記目的を達成する為に、本発明は、前記複数の機能のうちの前記データ送信機能が選択された場合においても前記第１情報処理装置を介して入力されるユーザからの指示により前記第２シーケンスを実行可能にするものである。
【００１４】
又、上記目的を達成する為に、本発明は、前記複数の機能のうちの前記データ送信機能が選択された場合には前記第１シーケンスを自動的に実行可能にするものである。
【００１５】
又、上記目的を達成する為に、本発明は、前記第１情報処理装置として、前記第２情報処理装置のステータスを確認可能な、該第２情報処理装置に遠隔の、コンピュータにおいて、前記第２情報処理装置の為の操作がなされる場合において、前記第２情報処理装置により出力処理対象となるデータの、出力時のデータサイズをユーザにより識別可能にする為の表示を、該コンピュータの表示部に実行させたうえで、該データの出力処理を前記第２情報処理装置に実行させる指示を、前記コンピュータにて入力可能とするものである。
【００１６】
又、上記目的を達成する為に、本発明は、前記第２情報処理装置により出力処理対象となるデータの、出力時のデータサイズをユーザにより識別可能にする為の表示を、該コンピュータの表示部に実行させるにあたり、前記第２情報処理装置が具備する前記記憶手段に記憶された複数のデータのうちの前記第1情報処理装置にて選択されたデータの出力時のデータサイズに関する情報をリクエストする為の指示を、前記第１情報処理装置から前記第２情報処理装置に対して、通信手段を介して、送信し、前記指示に対して前記第２情報処理装置から出力される前記情報を、前記通信手段を介して、前記第１情報処理装置にて受信し、前記第１情報処理装置にて受信した前記情報に基づいた表示を、前記第２情報処理装置により出力処理対象となるデータの出力時のデータサイズをユーザにより識別可能にする為の表示として、該コンピュータの表示部に実行可能にする、ものである。
【００１７】
又、上記目的を達成する為に、本発明は、前記第１情報処理装置として、前記第２情報処理装置自身が具備する操作部の表示部に、前記第２情報処理装置により出力処理対象となるデータの出力時のデータサイズをユーザにより識別可能にする為の表示を、実行させたうえで、該データの出力処理を前記第２情報処理装置に実行させる指示を、前記第２情報処理装置自身が具備する操作部を介して、入力可能とする、ものである。
【００１８】
又、上記目的を達成する為に、本発明は、前記第１情報処理装置として、前記第２情報処理装置のステータスを確認可能な、該第２情報処理装置に遠隔の、コンピュータにおいて、前記第２情報処理装置の為の操作がなされる場合において、前記第２情報処理装置により出力処理対象となるデータの、複数の設定に基づいた出力時の夫々のデータサイズをユーザにより識別可能にする為の表示を、該コンピュータの表示部に実行させたうえで、該データの夫々の出力処理を前記第２情報処理装置に実行させる指示を、前記コンピュータにて入力可能とする、ものである。
【００１９】
又、上記目的を達成する為に、本発明は、報知手段を具備する第１情報処理装置と、複数のデータを記憶可能な記憶手段のデータの出力処理が可能な第２情報処理装置と、を含む、情報処理システムの、前記記憶手段内のデータのうちの、前記第２情報処理装置により出力処理対象となるデータの、出力時のデータサイズをユーザにより識別可能にする為の情報を、前記第１情報処理装置の前記報知手段に報知させたうえで、該データの出力処理を実行可能にする、ものである。
【００２０】
又、上記目的を達成する為に、本発明は、報知手段を具備する第１情報処理装置と、複数のデータを記憶可能な記憶手段のデータの出力処理が可能な第２情報処理装置と、を含む、情報処理システムの、前記記憶手段内のデータのうちの、前記第２情報処理装置により出力処理対象となるデータの、出力時のデータサイズをユーザにより識別可能にする為の情報を、前記第１情報処理装置の前記報知手段に報知させたうえで、該データの出力処理の実行を許可するか禁止するかを、前記第1情報処理装置を介してユーザにより選択可能にする、ものである。
【００２１】
又、上記目的を達成する為に、本発明は、報知手段を具備する第１情報処理装置と、複数のデータを記憶可能な記憶手段のデータの出力処理が可能な第２情報処理装置と、を含む、情報処理システムにて、出力対象となるデータが第１のデータサイズで前記第２情報処理装置によりデータ出力されるような第１処理条件を、前記第１情報処理装置を介してユーザにより設定可能にし、且つ、出力対象となるデータが前記第１のデータサイズよりもデータ量の小さい第２のデータサイズで前記第２情報処理装置により出力されるような第２処理条件を、前記第１情報処理装置を介してユーザにより設定可能にし、前記第１処理条件が前記ユーザにより前記第１情報処理装置を介して設定された場合に、出力対象となるデータが前記第１のデータサイズで出力されることを前記ユーザが確認できる情報を、前記第１情報処理装置の前記報知手段により、報知させたうえで、前記ユーザにより前記第１の処理条件から前記第２処理条件に前記第１情報処理装置を介して設定変更可能にする、ものである。
【００２２】
又、上記目的を達成する為に、本発明にて、前記第1情報処理装置は、前記第２情報処理装置に遠隔に設置されている装置を含み、該第1情報処理装置から前記第２情報処理装置を遠隔操作可能にするものである。
【００２３】
又、上記目的を達成する為に、本発明にて、前記第1情報処理装置は、前記第２情報処理装置自身が具備する操作部を含み、前記第１情報処理装置としての該操作部から前記第２情報処理装置を操作可能にするものである。
【発明の効果】
【００２４】
本発明によれば、例えば、データ送信機能を有する情報処理装置（例えば、デジタル複合機やデジタルカメラやスキャナ装置など）から送信対象となるデータのデータサイズをユーザが事前に確認することができ、例えば、カラーデータやページ数が多い場合等の送信データのデータ量が大きい場合に起こり得る問題を未然に防止でき、従来技術で指摘したような問題に対処できる等の効果を奏す。
【００２５】
又、例えば、上記のようなデータ送信機能を有する情報処理装置を他の装置から遠隔操作するような場合においても、上記効果を奏することが出来る。
【００２６】
又、例えば、上記のようなデータ送信機能を有する装置自身にておいても、上記効果を奏することが出来る。
【００２７】
又、例えば、上記のようなデータ送信機能を有する情報処理装置が、デジタル複合機のような、データ送信機能以外にもコピー機能、プリント機能等の複数の機能を有している場合において、従来技術で指摘したような問題が発生するのを防止するがゆえに、コピー機能やプリント機能の当該データ送信機能以外の機能におけるユーザの操作性や使い勝手に影響が出しまう等の不具合が発生してしまう等の問題が起こるのを未然に防止できる。このように、データ送信機能を有する装置が複数の機能を有する場合において、従来技術のような問題を防止すると共に、該装置が具備する他の機能の高操作性の維持との両立を図ることが出来る。
【００２８】
又、例えば、上述したような各種効果を奏する共に、ユーザからの様々なニーズに柔軟に対応した、使い勝手の良い、便利な、装置、システムを提供できる。
【発明を実施するための最良の形態】
【００２９】
以下添付図面を参照して本願発明の好適な実施形態について詳細に説明する。
【００３０】
＜第１の実施形態＞
本願発明の第１の実施形態では、ホストコンピュータ（第１の情報処理装置の一例）と、複数の機能を有する複合機能タイプの画像処理装置（以下、マルチファンクションペリフェラルを略してＭＦＰと称す、第２の情報処理装置の一例）がネットワーク等の伝送媒体を介して接続されたシステムにおいて、ＭＦＰのボックスに記憶された画像データをホストコンピュータへ送信する際に、送信前に送信用データサイズ（ファイルサイズ）を確認する方法について説明する。
【００３１】
第１の実施形態のＭＦＰ１０１は、コピー機能やプリント機能や送信機能等の複数種類の機能（動作モードとも呼ぶ）を具備し、操作部、リーダ部、ハードディスク等のメモリ部、外部Ｉ／Ｆ部、プリント部等の各種のユニットと、これらを統括的に制御する制御部等を具備する。そして、該リーダ部から入力した画像データ（以下、ジョブデータと呼ぶ場合もある）、及び／又は、外部Ｉ／Ｆ部を介して入力した、ホストコンピュータや他のＭＦＰやファクシミリ等の、他の画像処理装置からのジョブデータを、自装置が具備するハードディスク等のメモリ部に格納可能にし、該メモリ部に格納したジョブデータを、自装置の操作部から受付けたユーザからの指示、或いは、自装置を遠隔操作するホストコンピュータ等の他の情報処理装置の操作部から遠隔操作により、自装置のプリンタ部にてプリントさせる動作や、他の装置に対してデータ送信処理を実行させる動作を可能に、上記制御部に制御している。
【００３２】
尚、第１の実施形態では、このように、入力したデータをメモリを介して他装置へデータ送信させる送信機能の他にもコピー機能やプリント機能やボックス機能等の複数種類の機能を有する、複合機能を有する画像処理装置であるＭＦＰを用いて主に説明するが、本形態はこれに限らず、少なくともデータ送信機能等の単一機能の画像処理装置（以下、シングルファンクションペリフェラル。略して、ＳＦＰと呼ぶ場合もある）でも良い。又、第１の形態では、リーダ部やプリンタ部等が同一筐体内に具備するタイプの画像処理装置を用いて説明するが、これらのユニットが夫々別筐体の別体型の画像処理装置でも適用可能である。
【００３３】
このように、様々な装置構成、システム構成等が考えられるが、第１の実施形態（及び、後述する他の形態）は、後述する各種の動作、制御が可能な構成ならば、如何なる構成のものでも良い。
【００３４】
［第１の実施形態のシステム構成：図１］
図１は第１の実施形態による情報処理システムの構成を示す概略図であり、本形態のシステムは、ホストコンピュータ等の情報処理装置と画像処理装置（ＳＦＰ、ＭＦＰ含む）等の情報処理装置を具備し、ネットワーク通信機能を備えたＭＦＰ１０１とホストコンピュータ（以下、ＰＣと称す場合もある）１０２〜１０４が、ネットワーク１０５等の伝送媒体で接続されており、各種のデータのやり取りが可能となっている。
【００３５】
ＭＦＰ１０１は、例えばハードディスク等の記憶装置１０６を具備している。この記憶装置１０６は、ＭＦＰ等の外部に外付けするタイプでも良いし、同一筐体に内蔵するタイプでも良い。このＭＦＰが具備するハードディスク等の記憶装置１０６は、コピー機能にて画像データを一時的に格納する為のテンポラリ領域を具備する以外にもボックス領域（以下、ボックスと称す）なるものを具備している。
【００３６】
この記憶装置１０６のボックス領域には、各ユーザ毎に区別して利用可能な複数のボックス（例えば、１００個のユーザボックス）が存在し、各ボックス毎に、リーダ部から取り込んだ画像データや、コンピュータや他の画像処理装置からネットワーク経由で取り込んだ画像データを格納可能としており、夫々、複数の画像データ（複数のジョブデータ、複数のドキュメントデータと呼ぶ場合もある）を格納保存しておくことが可能である。
【００３７】
ボックスにデータを格納させる場合には、操作部（画像処理装置で操作している場合には、画像処理装置の操作部、ホストコンピュータ等から遠隔装置している場合には、該ホストコンピュータ等の操作部が該当する）にて、ユーザによりボックス機能を選択させる。これを受け、制御部（ＭＦＰで操作している場合には、ＭＦＰの制御部が主体となる。ホストコンピュータにて遠隔操作しているならば、主に、ホストコンピュータ側の制御が主体となる）は、該操作部に、該ＭＦＰが具備する複数のボックスから何れかのボックスをユーザにより選択可能にする為の、複数のボックスを一覧表示した、ボックス選択画面、を、上記操作部に表示させる。そして、該画面を介してユーザにより何れかのボックスが選択されたうえで、その選択したボックスに対して、ユーザの所望のドキュメントを格納させるように制御する。
【００３８】
又、ボックスに格納したデータを自装置のプリンタ部にてプリントさせる場合や、他の装置へデータ送信させる場合等のボックスからのデータ出力動作を行うには、操作部（画像処理装置で操作している場合には、画像処理装置の操作部、ホストコンピュータ等から遠隔装置している場合には、該ホストコンピュータ等の操作部が該当する）にて、ユーザによりボックス機能を選択させる。これを受け、制御部（ＭＦＰで操作している場合には、ＭＦＰの制御部が主体となる。ホストコンピュータにて遠隔操作しているならば、主に、ホストコンピュータ側の制御が主体となる）は、該操作部に、該ＭＦＰが具備する複数のボックスから何れかのボックスをユーザにより選択可能にする為の上記ボックス選択画面を上記操作部に表示させる。そして、該画面を介してユーザにより何れかのボックスが選択されたら、該選択されたボックス内に格納されている互いに独立した複数のジョブデータ（ドキュメントデータ）の中から所望のジョブデータをユーザにより選択可能にする為の、複数のジョブを一覧表示した、ジョブ選択画面、を、操作部に表示させる。このジョブ選択画面を介して、ユーザは、出力すべきドキュメントを、１個選択だけでなく、ユーザの所望の数分、複数のドキュメントをまとめて同時に選択可能にしている。そして、ジョブ選択画面を介してユーザによりジョブが選択されたら、その選択されたジョブを、ユーザが設定した出力条件に従って、プリント部にてプリントさせたり、他の装置へデータ送信させるよう、該制御部により制御可能に構成している。
【００３９】
このように、第１の実施形態のＭＦＰは、自装置が具備する記憶装置１０６を用いて、自装置からの操作部からのローカル操作、及び／又は、ホストコンピュータ等の情報処理装置からの遠隔操作、に応答可能に構成されている、ボックス機能を具備している。
【００４０】
該記憶装置１０６のボックスに格納される各々の画像データは、該ＭＦＰの制御部の主体制御により、ボックスデータとしてボックスデータリスト１０７のようにＩＤ管理がされている。このボックスデータリスト１０７は、記憶装置１０６に格納しても良いし、他のメモリに格納しておいてもよい。いずれにしても、制御部により管理可能に構成されていれば良い。
【００４１】
図１の点線１１０〜１１３は、処理／制御の流れを示すものとし、以下順に説明を行う。１１０は、文書作成ソフト、表作成ソフトなどの、ホストコンピュータが具備するアプリケーションを使用してホストコンピュータにて作成されたアプリケーションデータ１０８をＰＣ１０２からＭＦＰ１０１にデータ転送し、該ＭＦＰ１０１にて印刷させ、その際に、ＭＦＰ１０１の記憶装置１０６に画像データを保存させる一連の処理を示す。
【００４２】
１１１は、ＭＦＰ１０１のスキャナより紙文書１０９を読み込ませ、ＭＦＰ１０１の記憶装置１０６に該スキャナで読取った画像データを保存させる一連の処理を示す。ここで、ＭＦＰ１０１は記憶装置１０６に画像データを保存する際に、ＭＦＰ１０１内部で規定されている特有の圧縮処理（或いは、ユーザが予め設定した設定に従った圧縮処理）を施している。
【００４３】
１１２は、ＰＣ１０３からリモート操作を行うためのユーザインターフェース（ここでは、ＲｅｍｏｔｅＵＩと称す）をＰＣ１０３側にて使用して、ＭＦＰ１０１を遠隔制御する際の処理を示す。１１３は、例えば、前述したＲｅｍｏｔｅＵＩをＰＣ１０３の表示部に表示させ、該ＰＣ１０３でのリモートＵＩを介して指示されたユーザからの指示により、ＭＦＰ１０１が具備する記憶装置１０６内に保存されている画像データをＰＣ１０４へ送信させる一連の処理を示す。この際、前述したように、記憶装置１０６に保存されている画像データは、ＭＦＰ１０１内部で規定されている特有の圧縮処理が施されているため、画像データを伸長し、例えば、一般的なカラー画像圧縮方式（ＪＰＥＧ）で圧縮処理が施され、ＰＣ１０４へ送信される。ＰＣ１０４へ送信された画像は、ＰＣ１０４の有する汎用的なビューアで閲覧可能である（ＭＦＰからＰＣにデータ転送させ、該ＰＣの表示部に該データ転送させた画像データを表示させるプレビュ機能を具備している）。
【００４４】
第１の実施形態では、ＭＦＰ１０１をＭＦＰ１０１の操作部からユーザ操作可能にした、ＭＦＰ１０１の為の操作画面をＭＦＰ１０１自身が具備する該操作部に表示させる機能（以下、ローカルＵＩ機能とも呼ぶ）を具備すると共に、コンピュータ等の情報処理装置からＭＦＰ１０１をユーザにより遠隔操作可能にした、ＭＦＰ１０１の為の操作画面をＭＦＰ１０１とデータ通信可能なホストコンピュータ等の情報処理装置の操作部に表示させる機能（以下、リモートＵＩ機能とも呼ぶ）を具備しており、ＭＦＰ１０１から操作する場合でも、コンピュータ等の装置から遠隔操作する場合でも、同様のユーザ操作が可能なユーザインターフェイスを提供可能に構成している。
【００４５】
［画像処理装置（ＭＦＰ）のハードウェアの詳細構成：図２］
以下、図１におけるＭＦＰ１０１のハードウェアの詳細構成について図２を用いて説明する。ＭＦＰ１０１は、画像入力デバイスであるスキャナ部２０１と画像出力デバイスであるプリンタ部２０２、ＣＰＵ、メモリ等で構成される制御ユニット（Ｃｏｎｔｒｏｌｌｅｒ  Ｕｎｉｔ）２０４、ユーザーインターフェースである操作部２０３等を有する。制御ユニット２０４は、スキャナ部２０１、プリンタ部２０２、操作部２０３と接続し、一方では、ＬＡＮ２１９や一般の電話回線網である公衆回線（ＷＡＮ）２２０と接続することで、画像情報やデバイス情報の入出力を行うコントローラである。ＣＰＵ２０５はシステム全体を制御するコントローラである。ＲＡＭ２０６はＣＰＵ２０５が動作するためのシステムワークメモリであり、画像データを一時記憶するための画像メモリでもある。ＲＯＭ２１０はブートＲＯＭであり、システムのブートプログラムが格納されている。ＨＤＤ２１１はハードディスクドライブで、システム制御ソフトウェア、画像データを格納する。操作部Ｉ／Ｆ２０７は操作部（ＵＩ）２０３とのインターフェース部で、操作部２０３に表示するための画像データを操作部２０３に対して出力する。また、操作部２０３から本画像処理装置の使用者が入力した情報を、ＣＰＵ２０５に伝える役割をする。ネットワーク（Ｎｅｔｗｏｒｋ）２０８は本画像処理装置をＬＡＮ２１９に接続し、パケット形式の情報の入出力を行う。モデム（ＭＯＤＥＭ）２０９は本画像処理装置を公衆回線２２０に接続し、情報の復調・変調を行い入出力を行う。以上のデバイスがシステムバス２２１上に配置される。
【００４６】
イメージバスインターフェース（Ｉｍａｇｅ  Ｂｕｓ  Ｉ／Ｆ）２１２はシステムバス２２１と画像データを高速で転送する画像バス２２２とを接続し、データ構造を変換するバスブリッジである。画像バス２２２は、例えば、ＰＣＩバスやＩＥＥＥ１３９４で構成される。画像バス２２２上には以下のデバイスが配置される。ラスターイメージプロセッサ（ＲＩＰ）２１３はＰＤＬコードを解析し、ビットマップイメージに展開する。デバイスＩ／Ｆ部２１４は、信号線２２３を介して画像入出力デバイスであるスキャナ部２０１、信号線２２４を介してプリンタ部２０２、をそれぞれ制御ユニット２０４に接続し、画像データの同期系／非同期系の変換を行う。スキャナ画像処理部２１５は、入力画像データに対し補正、加工、編集を行う。プリンタ画像処理部２１６は、プリンタ部２０２に出力すべきプリント出力画像データに対して、プリンタ部２０２に応じた補正、解像度変換等を行う。画像回転部２１７は入力された画像データの回転を行い出力する。画像圧縮部２１８は、多値画像データに対してはＪＰＥＧ圧縮伸長処理を行い、２値画像画像データに対してはＪＢＩＧ、ＭＭＲ、ＭＨの圧縮伸長処理を行う。以上が図１におけるＭＦＰ１０１のハードウェアの詳細構成である。
【００４７】
［制御ユニットに実装されるソフトウェア構成：図３］
次に、図２における制御ユニット２０４に実装されるソフトウェア構成について図３を用いて説明する。３０１はユーザーインターフェース（以下、ＵＩ）であり、オペレータが操作部２０３を用いてＭＦＰ１０１に対する各種操作・設定を行う際の、機器とユーザ操作との仲介を行うモジュールである。本モジュールは、オペレータの操作に従い、後述の各種モジュールに入力情報を転送して処理の依頼、或いはデータの設定等を行う。
【００４８】
３０２はアドレスブック（Ａｄｄｒｅｓｓ−Ｂｏｏｋ）、即ちデータの送付先、通信先等を管理するデータベースモジュールである。アドレスブック３０２の内容は操作部２０３からの操作を、ＵＩ３０１で検知し、データの追加、削除、取得が行われ、オペレータの操作により後述の各モジュールにデータの送付・通信先情報を与えるものとして使用されるものである。
【００４９】
３０３はＷｅｂサーバモジュール（Ｗｅｂ−Ｓｅｒｖｅｒモジュール）であり、Ｗｅｂクライアント（例えば、ＰＣ１０２）からの要求により、本ＭＦＰ１０１の管理情報を通知するために使用される。この管理情報は、後述の統合送信部（Ｕｎｉｖｅｒｓａｌ−Ｓｅｎｄモジュール）３０４、後述のリモートコピースキャンモジュール（Ｒｅｍｏｔｅ−Ｃｏｐｙ−Ｓｃａｎモジュール）３０９、後述のリモートコピープリントモジュール（Ｒｅｍｏｔｅ−Ｃｏｐｙ−Ｐｒｉｎｔモジュール）３１０、後述の制御ＡＰＩ（Ｃｏｎｔｒｏｌ−ＡＰＩ）３１８を介して読み取られ、後述のＨＴＴＰモジュール３１２、ＴＣＰ／ＩＰ通信モジュール３１６、ネットワークドライバ（Ｎｅｔｗｏｒｋ−Ｄｒｉｖｅｒ）３１７を介してＷｅｂクライアントに通知される。Ｗｅｂサーバモジュール３０３はＷｅｂクライアントに渡すべき情報を、ＨＴＭＬ形式等のいわゆるＷｅｂページ（ホームページ）形式のデータとして作成する。必要に応じてＪａｖａ（登録商標）やＣＧＩプログラム等が用いられる。
【００５０】
３０４は統合送信部（Ｕｎｉｖｅｒｓａｌ−Ｓｅｎｄモジュール）、即ちデータの配信を司るモジュールであり、ＵＩ３０１を介してオペレータによって指定されたデータを、指示された通信（出力）先に配布するものである。また、オペレータにより、本ＭＦＰ１０１のスキャナ機能を使用して配布データの生成が指示された場合は、後述の制御ＡＰＩ３１８を介して本ＭＦＰ１０１のスキャナ２０１を動作させ、データの生成を行う。３０５は統合送信部３０４内で出力先にプリンタが指定された際に実行されるモジュールである。３０６は統合送信部３０４内で通信先にＥ−ｍａｉｌアドレスが指定された際に実行されるモジュールである。３０７は統合送信部３０４内で出力先にデータベースが指定された際に実行されるモジュールである。３０８は統合送信部３０４内で出力先に本ＭＦＰ１０１と同様のＭＦＰが指定された際に実行されるモジュールである。
【００５１】
３０９はリモートコピースキャン（Ｒｅｍｏｔｅ−Ｃｏｐｙ−Ｓｃａｎ）モジュールであり、ＭＦＰ１０１のスキャナ機能を使用してスキャナ２０１で読み取った画像情報の出力先をネットワーク等で接続された他のＭＦＰのプリンタで出力し、本ＭＦＰ１０１単体で実現しているコピー機能と同等の処理を行うモジュールである。３１０はリモートコピープリント（Ｒｅｍｏｔｅ−Ｃｏｐｙ−Ｐｒｉｎｔ）モジュールであり、ネットワーク等で接続された他のＭＦＰのスキャナで読み取った画像情報を入力元として得られた画像情報をＭＦＰ１０１のプリンタ機能を使用して出力することにより、同様にＭＦＰ１０１単体で実現しているコピー機能と同等の処理を行うモジュールである。ボックスモジュール３１１はスキャン画像（スキャナから入力した画像データ）もしくはＰＤＬプリント画像（ホストコンピュータ等の外部装置から入力した画像データ）をＨＤＤ（例えば、記憶装置１０６）に格納し、格納した画像のプリンタ機能による印刷、統合送信（Ｕｎｉｖｅｒｓａｌ−Ｓｅｎｄ）機能による送信、ＨＤＤに格納した文書の削除、グルーピング（個別ＢＯＸへの格納）、ＢＯＸ間移動、ＢＯＸ間コピーなどの管理機能を提供する。なお、ボックスモジュール３１１は、ＨＴＴＰモジュール３１２及びＴＣＰ／ＩＰモジュール３１６によって通信機能が提供される。
【００５２】
３１２はＨＴＴＰモジュールであり、本ＭＦＰ１０１がＨＴＴＰにより通信する際に使用され、後述のＴＣＰ／ＩＰ通信モジュール３１６により前述のＷｅｂサーバモジュール３０３、Ｗｅｂプルプリントモジュール３１１に通信機能を提供する。３１３はｌｐｒモジュールであり、後述のＴＣＰ／ＩＰ通信モジュール３１６により前述の統合送信部３０４内のプリンタモジュール３０５に通信機能を提供するものである。３１４はＳＭＴＰモジュールであり、後述のＴＣＰ／ＩＰ通信モジュール３１６により統合送信部３０４内のＥ−ｍａｉｌモジュール３０６に通信機能を提供する。３１５はＳＬＭ、即ちＳａｌｕｔａｔｉｏｎ−Ｍａｎａｇｅｒモジュールであり、後述のＴＣＰ／ＩＰ通信３１６モジュールにより前述の統合送信部３０４内のデータベースモジュール３１７、ＤＰモジュール３１８、及びリモートコピースキャンモジュール３０９、リモートコピープリントモジュール３１０に通信機能を提供する。
【００５３】
３１６はＴＣＰ／ＩＰ通信モジュールであり、後述のネットワークドライバ３１６を用いて、前述の各種モジュールにネットワーク通信機能を提供する。３１７はネットワークドライバであり、ネットワークに物理的に接続される部分を制御するものである。３１８は制御ＡＰＩであり、統合送信部３０４等の上流モジュールに対し、後述のジョブマネージャ（Ｊｏｂ−Ｍａｎａｇｅｒ）３１９等の下流モジュールとのインターフェイスを提供するものであり、上流及び下流のモジュール間の依存関係を軽減し、それぞれの流用性を高めるものである。３１９はジョブマネージャであり、前述の各種モジュールより制御ＡＰＩ３１８を介して指示される処理を解釈し、後述の各モジュール（３２０、３２４、３２６）に指示を与えるものである。また、ジョブマネージャ３１９は、ＦＡＸジョブの制御も含め本ＭＦＰ１０１内で実行される種々のジョブを一元管理するものである。
【００５４】
３２０はコーデックマネージャ（ＣＯＤＥＣ−Ｍａｎａｇｅｒ）であり、ジョブマネージャ３１９が指示する処理の中でデータの各種圧縮・伸長を管理・制御するものである。３２１はＦＢＥエンコーダモジュール（ＦＢＥ−Ｅｎｃｏｄｅｒ）であり、ジョブマネージャ３１９、後述のスキャンマネージャ（Ｓｃａｎ−Ｍａｎａｇｅｒ）３２４により実行されるスキャン処理により読み込まれたデータをＦＢＥフォーマットにより圧縮するものである。３２２はＪＰＥＧコーデックモジュール（ＪＰＥＧ−ＣＯＤＥＣ）であり、ジョブマネージャ３１９、スキャンマネージャ３２４により実行されるスキャン処理、及びプリントマネージャ（Ｐｒｉｎｔ−Ｍａｎａｇｅｒ）３２６により実行される印刷処理において、読み込まれたデータのＪＰＥＧ圧縮及び印刷データのＪＰＥＧ展開処理を行うものである。３２３はＭＭＲコーデック（ＭＭＲ−ＣＯＤＥＣ）であり、ジョブマネージャ３１９、スキャンマネージャ３２４により実行されるスキャン処理、及びプリントマネージャ３２６により実行される印刷処理において、スキャナから読み込まれたデータのＭＭＲ圧縮及びプリンタへ出力すべき印刷データのＭＭＲ伸長処理を行うものである。
【００５５】
３２４はスキャンマネージャ（Ｓｃａｎ−Ｍａｎａｇｅｒ）であり、ジョブマネージャ３１９が指示するスキャン処理を管理・制御するものである。３２５はＳＣＳＩドライバであり、スキャンマネージャ３２４と本ＭＦＰ１０１が内部的に接続しているスキャナ部２０１との通信を行うものである。３２６はプリントマネージャ（Ｐｒｉｎｔ−Ｍａｎａｇｅｒ）であり、ジョブマネージャ３１９が指示する印刷処理を管理・制御するものである。３２７はエンジンインターフェース（Ｅｎｇｉｎｅ−Ｉ／Ｆ）であり、プリントマネージャ３２６とプリンタ部202とのＩ／Ｆを提供する。３２８はパラレルポートドライバであり、Ｗｅｂプルプリント３１１がパラレルポートを介して不図示の出力機器にデータを出力する際のＩ／Ｆを提供する。
【００５６】
［Ａｄｄｒｅｓｓ−Ｂｏｏｋの詳細：図３］
次に、Ａｄｄｒｅｓｓ−Ｂｏｏｋ３０２の詳細について説明する。このＡｄｄｒｅｓｓ−Ｂｏｏｋ３０２は、ＭＦＰ101内の不揮発性の記憶装置（不揮発性メモリやハードディスクなど）に保存されており、この中には、ネットワークに接続された他の機器の特徴が記載されている。例えば、以下に列挙するようなものが含まれている。
・機器の正式名やエイリアス名，
・機器のネットワークアドレス，
・機器の処理可能なネットワークプロトコル，
・機器の処理可能なドキュメントフォーマット，
・機器の処理可能な圧縮タイプ，
・機器の処理可能なイメージ解像度，
・プリンタ機器の場合の給紙可能な紙サイズ、給紙段情報，
・サーバ（コンピューター）機器の場合のドキュメントを格納可能なフォルダ名
以下に説明する各アプリケーションは、上記Ａｄｄｒｅｓｓ−Ｂｏｏｋ３０２に記載された情報により配信先の特徴を判別することが可能となる。このＡｄｄｒｅｓｓ−Ｂｏｏｋ３０２を参照して、ＭＦＰ１０１はデータを送信することができる。例えば、リモートコピーアプリケーションは、配信先に指定された機器の処理可能な解像度情報を前記Ａｄｄｒｅｓｓ−Ｂｏｏｋ３０２より判別し、それに従い、スキャナにより読み込まれた画像２値画像を公知のＭＭＲ圧縮を用いて圧縮し、それを公知のＴＩＦＦ(Ｔａｇｇｅｄ Ｉｍａｇｅ Ｆｉｌｅ Ｆｏｒｍａｔ)化し、ＳＬＭ３０３に通して、ネットワーク上のプリンタ機器に送信する。ＳＬＭ３０３については、詳細には説明しないが、公知のＳａｌｕｔａｔｉｏｎ−Ｍａｎａｇｅｒ）と呼ばれる機器制御情報などを含んだネットワークプロトコルの一種である。
【００５７】
［ホストコンピュータのハードウェア構成：図４］
次に、図１におけるホストコンピュータ１０２〜１０４ハードウェア構成について図４を用いて説明する。ホストコンピュータ１０２〜１０４は、同様の構成を備えており、以下、１０２を代表として説明を行う。ホストコンピュータ１０２ついては、一般的なパーソナルコンピュータの構成、機能を有しており、周辺機器であるモニタ４０１、キーボード・マウス４０２と、ホストコンピュータ１０２全体を制御する中央処理装置ＣＰＵ４０３、アプリケーションやデータを記憶するハードディスク４０５、メモリ４０６等からなる。また、ネットワーク・インターフェース４０６を介してネットワーク１０５等の伝送媒体に接続されている。
【００５８】
［圧縮：図５］
次に、図５を用いて第１の実施形態における機器特有の圧縮について説明する。図５は、前述したＭＦＰ１０１のハードウェア構成を示す図２の画像圧縮部２１８の内部であり、５０１〜５０３は、夫々、機器特有の圧縮手段、機器特有の伸長手段、送信時の圧縮手段である。機器特有の圧縮手段５０１は、例えば、ＭＦＰ１０１内の記憶装置２１１に画像を保存する際に、使用される圧縮手段であり、これは、汎用的な圧縮方式ではなく、画像を回転する際などのメモリ資源の効率化を理由として、機器特有の圧縮方式を用いている。具体的には、画像をタイル分割し、タイル毎に圧縮を行っている。機器特有の伸長手段５０２は、前述した機器特有の圧縮手段５０１によって圧縮された画像を伸長するための手段である。また、送信時の圧縮手段５０３は、例えば、一般にカラー符号化方式としてよく知られるＪＰＥＧ圧縮であり、５０３で圧縮された画像は、任意のホストコンピュータのビューアで閲覧可能である。本実施形態では、記憶装置保存されている画像をホストコンピュータへ送信する際には、機器特有の伸長手段５０２を用いて、機器特有の圧縮手段５０１によって圧縮された画像を伸長し、送信時の圧縮手段５０３によって圧縮を行い、送信を行っている。
【００５９】
以下、機器特有の圧縮手段５０１、及び伸長手段５０２の詳細について説明する。まず、機器特有の圧縮手段５０１は、内部に圧縮ブロックラインバッファを備え、圧縮ブロックラインバッファでは，画像をタイル分割し、（タイルの大きさをＭ×Ｎとすると）このタイルＭ×Ｎ画素毎にカラー情報の符号化方式である離散コサイン変換符号化（ＪＰＥＧ）と属性フラグデータ情報の符号化であるランレングス符号化に分けて符号化される。ただしＭ、Ｎは離散コサイン変換符号化のためのウィンドウサイズの倍数でなければならない。この実施形態で用いるＪＰＥＧ圧縮方式では圧縮のためのウィンドウサイズは８×８画素であるので例えばＭ＝Ｎ＝３２とすると３２×３２画素タイルの中をさらに１６個の８×８画素に分割して８×８画素単位でＪＰＥＧ圧縮を行う。（以後、Ｍ＝Ｎ＝３２として説明するが、もちろんその値に限定されるわけではない）
符号化部では３２×３２画素のタイル画像に含まれる１６個の８×８画素ウィンドウに対し周知のＤＣＴ変換を施して量子化する。このときに用いる量子化係数（量子化マトリクスと呼ぶ）をタイルごとに切り替えて設定できるようになっている。切り替え信号は属性フラグ符号化部に入力される、上記画像データに対応した３２×３２画素の属性フラグデータを参照し、判定部で判定処理を行い、量子化係数の選択信号を発生して符号化部に送出する。属性フラグデータは，各画素毎につけられるものであるが、本発明のようにＭ×Ｎ画素タイル内の符号化方法は一定とするのでタイル内の属性フラグデータを判定部で解析してタイルを代表する属性を決定する必要があるわけである。
【００６０】
次に、機器特有の伸長手段５０２は、まず圧縮して記憶された属性フラグデータのＭ×Ｎ画素分のデータを読み出し、属性フラグ復号器で復号する。次に復号器は，属性フラグデータの復号結果により，画像データの復号化パラメータ（本発明では逆量子化マトリクス）を切り替えて画像データを復号処理し、その結果をラインバッファに出力する。このとき、まず属性フラグデータを復号し復号されたＭ×Ｎ画素内の属性フラグデータに対し判定部で解析、判定処理を行い、復号器で対応するＭ×Ｎ画素の画像データを復号するための逆量子化マトリクスを設定して復号する。また属性フラグデータはデータの劣化しないランレングス符号化のような可逆圧縮方式で圧縮されているので、符号化時と復号化時で同一タイルに対応する判定結果は全く等しいものとなる。従ってタイルごとに異なる量子化係数で量子化されていても復号時にはそれぞれに適した逆量子化係数が設定されるので、正しい復号画像データが得られることになる。
【００６１】
［ボックスの概要：図６］
次に、図６を用いて第１の実施形態におけるボックスの概要について説明する。図６の２１１は、図２で説明したシステム制御ソフトウェア、画像データを格納するためのＭＦＰ１０１のハードディスクである。画像データを一時的に格納し、ジョブ終了後にそれらの画像データを消去する領域であるテンポラリ領域６０１と、パーソナルボックス６０２に分けられている。パーソナルボックス６０２は、図１の１０６と同じである。また、パーソナルボックス６０２は、６０３〜６０６のように区切って使用する。また、各パーソナルボックスには番号が付いており、例えばボックス６０３、６０４、６０５、６０６は、それぞれボックス番号００、０１、０２、０３である。６０３において、ボックス番号００は、Ａさん所有であることを示している。ボックス番号００のボックスには、複数のボックスデータが格納されており、それぞれＩＤ管理されており、BOX−ID ０００１〜０００２は、図１のボックスデータリスト１０７のBOX−IDと同じである。
【００６２】
［送信用データサイズの確認方法、送信、印刷の制御方法：図７〜１２］
次に、図７〜１２を用いて第１の実施形態における送信用データサイズの確認方法、及び送信、印刷の制御方法について説明する。図７は、図１の第１の情報処理装置の一例としてのＰＣ１０３側のフローチャートであり、図８は、図１の第２の情報処理装置の一例としてのＭＦＰ１０１側のフローチャートである。図７は、ＰＣ１０３のＲｅｍｏｔｅＵＩ機能を使用して、ＭＦＰ１０１の記憶装置１０６に保存されている画像データを、該画像処理装置とは異なる他の装置の一例としてのＰＣ１０４へ送信する際のフローチャートを示しており、特に、ユーザーが送信前に、送信用のデータサイズを確認する方法を示している。
【００６３】
［ホストコンピュータ（ＰＣ）の処理：図７］
以下、図７のフローチャートに従って、図８〜１２を用いながら説明を行う。尚、この制御は、ＰＣ１０３の制御部（この例では、図４のＰＣ１０３のＣＰＵ４０３に相当）と、ＭＦＰ１０１の制御部（この例では、図２のＭＦＰ１０１のＣＰＵ２０５に相当）とが、互いにデータ通信しながら協働して行うものとするが、何れか一方の制御部が全ての動作を制御可能に構成しても良い。
【００６４】
ここで、ＲｅｍｏｔｅＵＩとは、図３のＭＦＰ１０１のソフトウェア構成で前述したように、ＰＣ１０３がＷｅｂクライアントとなり、ＰＣ１０３が具備するＷｅｂブラウザ機能を用いて、ＭＦＰ１０１が有するＷｅｂサーバに対してＨＴＴＰ通信を行うことでリモート操作を実現する機能である。
【００６５】
まず、ステップＳ７０１にて、ＰＣ１０３の操作部におけるユーザからのリモートＵＩ機能の起動指示により、ＲｅｍｏｔｅＵＩをＰＣ１０３に起動させる。そして、ＰＣ１０３の操作部に表示させたリモートＵＩ画面における遠隔操作対象となる装置のＩＰアドレスを入力する為のＩＰアドレス入力欄（不図示）に、ＰＣ１０３のキーボードを用いてユーザにより該ＭＦＰ１０１のＩＰアドレスを入力させることで、ＰＣ１０３からＭＦＰ１０１への接続を行う。図９は、その時の上記リモートＵＩ機能により、ＰＣ１０３の表示部にＰＣ１０３の制御部による主体制御により表示させたＲｅｍｏｔｅＵＩの表示例であり、ＭＦＰ１０１側にて記憶装置１０６を用いて管理しているユーザーボックスを、ＰＣ１０３の表示部にて閲覧した場合の画面の様子を示している。
【００６６】
［リモートＵＩ画面の制御：図９］
以下、リモートＵＩ機能を用いてＰＣ１０３の表示部にさせるリモートＵＩ画面の制御例について説明する。まず、ユーザからのキー操作に応答し、ＰＣ１０３の制御部（この例では、図４のＰＣ１０３のＣＰＵ４０３に相当）が、ＰＣ１０３の表示部（この例では、図４のＰＣ１０３のモニタ４０１に相当）に、ｗｅｂブラウザ画面（図９（ａ）の操作画面）を表示させる。そして、図９（ａ）の操作画面上のアドレス入力部９１０１にて本形態のＭＦＰ１０１のアドレスをキー操作によりユーザにより直接入力されるか、画面左端のボタン９１０２が押下されたことにより、ＭＦＰ１０１のリモートＵＩを起動させる為の指示を入力する。これを受け、ＰＣ１０３の制御部は、ＭＦＰ１０１に対してＭＦＰ１０１の各種情報（カレントステータス情報や、ボックス情報等のＭＦＰ１０１側の情報）をリクエストする為のリクエストコマンドをネットワーク経由で、ＭＦＰ１０１に送信する。該リクエストコマンドをＭＦＰ１０１が受信すると、該ＭＦＰ１０１の制御部はＭＦＰ１０１の情報を、該ネットワーク経由で、ＰＣ１０３に返信する。ＰＣ１０３がＭＦＰ１０１の情報を受信すると、ＰＣ１０３の制御部は、この情報をもとに、ＰＣ１０３の表示部の表示領域９１０３に、ＭＦＰ１０１のリモートＵＩを表示させる。尚、初期画面では、図９（ａ）のような、ＭＦＰ１０１のデバイス名称や設置場所をユーザに識別可能にする為の情報や、ＭＦＰ１０１のデバイス状況を通知可能にしている（この例では、ＭＦＰ１０１にて、プリント処理を実行できる旨や、スキャナ処理を実行できる旨をユーザに通知している）。
【００６７】
ここで、図９（ａ）の操作画面上の表示領域９１０３の左側のボックス機能ボタン９１０４が、ユーザのキー操作（ＰＣ１０３のマウス等のポインティングデバイスを使う）によりクリックされたことに応答し、ＰＣ１０３の制御部は、ＰＣ１０３の表示部に表示させた図９（ａ）の操作画面を介してユーザにより指定された画像処理装置（この例では、ＭＦＰ１０１）が具備する記憶装置（この例では、図１の記憶装置１０６）内に存在する複数のボックスの中から何れかのボックスを選択する為のボックス選択画面（図９（ｂ）の操作画面）、を、ＰＣ１０３の表示部の表示領域９１０３に、表示させる。この情報は、ＭＦＰ１０１との先のデータのやり取りによりＭＦＰ１０１から獲得したＭＦＰ１０１の情報（特に、ＭＦＰ１０１のボックス情報）に基づいて決定される表示情報である。
【００６８】
図９（ｂ）のＰＣ１０３の表示部に表示させる、リモートＵＩにおけるボックス選択画面上にはボックス選択領域９１０５を具備している。この表示領域９１０５には、先の図９（ａ）の操作画面で指定した画像処理装置（この例ではＭＦＰ１０１）の記憶装置（この例では記憶装置１０６）の複数のボックス（この例では、１００個のボックス）の各ボックス毎の各種情報（ボックス番号、使用するユーザの名称、データ使用量）をユーザに識別可能にする為の情報を表示するボックス情報表示部と、該複数のボックスのうちの何れかのボックスをユーザにより選択可能にする為のボックス選択領域部とを有する。ユーザは、各ボックス毎に設けられているボックス番号を表示している箇所のうちの選択したいボックスのボックス番号をポインタ等でＰＣ１０３のマウスを用いてクリックすることで、そのボックスを選択することが出来る。
【００６９】
図９（ｂ）の例では、ＭＦＰ１０１の記憶装置１０６に予め割当てられている複数個のボックス（この例では、１００個のボックスが存在する）のうちのボックス番号００〜０２の３個のボックスにユーザ名称が登録されている事、ボックス番号００と０１のボックスには夫々ジョブデータ（ドキュメントデータ）が格納されている事、及び、各ボックスの使用量は、１％、１％、0％である事等を、ユーザに識別可能に情報通知させている例である。
【００７０】
この図９（ｂ）に示すＰＣ１０３におけるリモートＵＩでのボックス選択画面を介して何れかのボックスがユーザにより選択されたら（何れかのボックスのボックス番号がポイントでクリックされたら）、これを受け、ＰＣ１０３の制御部は、図９（ａ）の操作画面で指定された画像処理装置（ここでは、ＭＦＰ１０６）の記憶装置（この例では、記憶装置１０６）内に存在する複数のボックスのうちの、図９（ｂ）のボックス選択画面を介してユーザにより選択されたボックス内に格納されているジョブデータ（ドキュメントデータ）の中から出力すべきデータをユーザにより選択可能にする為のボックス文書選択画面（図９（ｃ）の操作画面例参照）、を、ＰＣ１０３の表示部に、表示させるよう制御する。尚、ここでは、図９（ｂ）のボックス選択画面にて、ボックス番号０１のボックス名称がｕｓｈｉｙａｍａのボックスがユーザにより選択された場合の例を示す。
【００７１】
ＰＣ１０３の制御部は、リモートＵＩにおけるボックス文書選択画面として、指定され画像処理装置の名称をユーザに通知する為のデバイス表示領域を有し、且つ、該選択されたボックス内に格納されている各種のドキュメントの情報（ドキュメントがカラーデータであるか白黒データであるか等を識別可能にする原稿の種類情報、文書名情報、原稿サイズ情報、ページ数情報、ドキュメントの格納日時情報など）を表示する表示欄と、その中から何れかのドキュメントをユーザにより選択可能にする為の文書選択欄とを具備した、ドキュメント選択表示領域９０２を有し、且つ、該表示領域９０２で選択したドキュメントをどのように処理するかを、ユーザにより選択可能にする為の指示入力欄９０１とを具備した、操作画面を、ＰＣ１０３の表示部に、表示させるよう制御する。
【００７２】
この図９（ｃ）に示すボックス文書選択画面例では、操作対象のデバイスのデバイス名称がＭＦＰ１０１である事、及び、ＭＦＰ１０１の記憶装置１０６内の複数のボックスのうちのボックス番号が０１のushiyamaのボックスを選択している事、及び、このボックスには２つの文書データが保管されており、１つのドキュメントの情報としては、原稿種類がカラーデータ、ファイル名がfilel、原稿サイズがＡ４、ページ数が９枚、格納日時が２００４年４月１９日１６時４分４３秒であることを、ユーザに識別可能に表示し、一方、２つ目のドキュメントの情報として、原稿種類が白黒データ、ファイル名がfile2、原稿サイズがＡ４、ページ数が3枚、格納日時が２００４年４月１９日１６時４分53秒であることを、ユーザに識別可能に表示させている例である。そして、この例では、ドキュメント選択表示領域９０２にて１個目のドキュメント（ファイル名：file１）をユーザが選択していることを示している。尚、このドキュメント選択画面では、ユーザにより１個のドキュメントを選択可能にするだけでなく、複数のドキュメントを選択可能にしている。ユーザは選択したい文書の選択欄にポイント等でチェックを入れることで選択できる。
【００７３】
更に、この図９（ｃ）に示すボックス文書選択画面例には、指示入力欄９０１を具備しているが、この入力欄９０１を介して、以下の動作（（１）〜（４））を実行させる指示をＰＣ１０３のユーザにより選択的に入力可能にしている。
【００７４】
（１）ドキュメント選択欄９０２で選択したドキュメントを、ＭＦＰ１０１の記憶装置１０６から読み出して、該ＭＦＰ１０１のプリンタ部にてプリント動作を実行させる。この場合、どのボックスのどの文書をＰＣ１０３にて指定したかをＭＦＰ１０１の制御部が特定可能にする為の、ボックス特定情報及び文書特定情報と、該指定した文書のプリント動作をＭＦＰ１０１に指示する為の、プリント指示情報を、コマンドデータとして、ＰＣ１０３からＭＦＰ１０１にネットワーク経由で送信させる。
【００７５】
（２）ドキュメント選択欄９０２で選択したドキュメントを、ＭＦＰ１０１の記憶装置１０６から読み出して、ＭＦＰ１０１から他の装置（例えば他のＭＦＰやＰＣ）に、ネットワーク等の所定の通信媒体を介してデータ送信させる（この例では、ＭＦＰ１０１の記憶装置から読み出したドキュメントデータをＰＣ１０４にデータ送信させる動作を実行させようと、ＰＣ１０３にて遠隔操作している例である）。この場合、どのボックスのどの文書をＰＣ１０３にて指定したかをＭＦＰ１０１の制御部が特定可能にする為の、ボックス特定情報及び文書特定情報と、該指定した文書のＰＣ１０３にて指定した送信先に送信させる動作をＭＦＰ１０１に指示する為の、送信指示情報を、コマンドデータとして、ＰＣ１０３からＭＦＰ１０１にネットワーク経由で送信させる。尚、第１の実施形態では、この送信モードの際に、送信対象となるドキュメントデータが如何なるデータサイズでＭＦＰ１０１から指定先の送信先に送信されるかを、ユーザに通知確認可能とし、その上で、ＭＦＰ１０１によるデータ送信処理の実行可否をユーザ自身により決定可能に構成している。よって、この場合には、この一連の動作を実現する為のデータのやり取りをＰＣ１０３とＭＦＰ１０１とでネットワーク経由で実行可能に構成している。後で詳細に説明する。
【００７６】
（３）ドキュメント選択欄９０２で選択したドキュメントを、ＭＦＰ１０１の記憶装置１０６内の他のボックスにデータ移動させる。或いは、そのドキュメントのコピーデータを、ＭＦＰ１０１の記憶装置１０６内の他の指定したボックス或いはこのボックス自身に更に格納させる（同じデータが２つ存在することになる）。この場合、どのボックスのどの文書をＰＣ１０３にて指定したかをＭＦＰ１０１の制御部が特定可能にする為の、ボックス特定情報及び文書特定情報と、該指定した文書をＰＣ１０３にてユーザが指定した移動先に、データ移動或いはデータコピーさせる為の動作をＭＦＰ１０１に指示する為の、データ移動（或いはコピー）指示情報を、コマンドデータとして、ＰＣ１０３からＭＦＰ１０１にネットワーク経由で送信させる。
【００７７】
（４）ドキュメント選択欄９０２で選択したドキュメントを、ＭＦＰ１０１の記憶装置１０６の該選択したボックスから消去させる。この場合、どのボックスのどの文書をＰＣ１０３にて指定したかをＭＦＰ１０１の制御部が特定可能にする為の、ボックス特定情報及び文書特定情報と、該指定した文書の記憶装置１０６からのデータ消去処理をＭＦＰ１０１に指示する為の、データ消去支持情報を、コマンドデータとして、ＰＣ１０３からＭＦＰ１０１にネットワーク経由で送信させる。
【００７８】
このように、ＭＦＰ１０１の記憶装置１０６の中からＰＣ１０３側のユーザにより選択したボックス内の、該ユーザにより選択したドキュメントに対して、ＭＦＰ１０１が実行すべき動作を、複数種類の選択実行可能な動作（プリント動作／送信動作／移動または複製動作／消去動作）の中から、該ＰＣ１０３のユーザにより、該ＰＣ１０３の表示部に表示させる図９（ｃ）の操作画面内の指示部９０１を介して選択可能に構成している。このような各種のＭＦＰ１０１に対するＰＣからの遠隔操作を可能としている。尚、本実施形態はこのようなＰＣからＭＦＰ１０１を遠隔操作可能にするだけでなく、ＭＦＰ１０１自身が具備する操作部からのローカル操作も可能にしている（他の実施形態参照）。
【００７９】
以上のように、図９（ｃ）のリモートＵＩ機能におけるドキュメント選択画面の９０１の各ボタン（プリント、送信、移動／複製、消去）は、９０２で示されるようなボックスに保存されているファイルに対する動作／命令を示している。９０２は、ボックスに保存されている各ファイル及びその情報を示しており、選択欄、原稿、文書名、用紙サイズ、ページ、日付などが表示されている。ここで、９０２で表示されている文書名ｆｉｌｅ１、ｆｉｌｅ２は、例えば、夫々、図１のボックスデータリスト１０７のＢＯＸ−ＩＤ ０００１、ＢＯＸ−ＩＤ ０００２に対応するファイルである。このように、ボックスデータリスト１０７を用いてボックス内のデータを管理操作する為の関連付けを行っている。
【００８０】
次に、図７のステップＳ７０２にて、前述したボックスに保存されているファイルの選択を行う。このファイルの選択について、例えば、図９（ｃ）のＲｅｍｏｔｅＵＩで説明を行うと、図９（ｃ）のドキュメント選択画面上の文書選択欄９０２内のユーザが所望の選択欄にＰＣ１０３のマウス等のポインティングデバイスでチェックを入れる。図９（ｃ）の例では、ＭＦＰ１０１の記憶装置１０６内のボックス番号が０１番のボックス内の文書名がｆｉｌｅ１のドキュメントに対応する選択欄にチェックが入っており、このドキュメントが選択されていることを意味する。尚、この例では、ドキュメントを１個だけ選択している例を示しているが、選択欄９０２を介して複数のドキュメント選択可能にしている。
【００８１】
次に、ステップＳ７０３にて、ステップＳ７０２で選択されたファイルを送信するか、印刷するかの選択を行う。例えば、この送信または印刷の選択について、図９のＲｅｍｏｔｅＵＩで説明を行うと、図９（ｃ）のドキュメント選択画面上の指示入力欄９０１を介して、ユーザにより、ドキュメント選択欄９０２でユーザが選択したドキュメントのプリント指示を入力する為のボタン、及び、ドキュメント選択欄９０２でユーザが選択したドキュメントの送信指示を入力する為のボタン、を含む複数の指示ボタンの中から、プリントを希望する場合には、プリントボタンをユーザにより押下し（該ボタンをマウスでクリックし）、送信を希望する場合には、送信ボタンをユーザにより押下する（該ボタンをマウスでクリックする）。尚、上述したように、図９（ｃ）のドキュメント選択画面上の指示入力欄９０１を介して、ドキュメント選択欄９０２でユーザが選択したドキュメントの移動／複製を実行させる為の指示ボタンや、ドキュメント選択欄９０２でユーザが選択したドキュメントの消去指示ボタンも具備しており、これらのボタンが押下されたことで、該選択されたファイルの移動／複製、消去を行うことも可能である。
【００８２】
ステップＳ７０３でユーザが印刷を選択した場合（例えば、図９（ｃ）のドキュメント選択画面上の指示入力欄９０１にて印刷ボタンをクリックした場合）は、ステップＳ７０４に進み、ＰＣ１０３の制御部は、該選択したドキュメントをＭＦＰ１０１で印刷させる際の各種印刷条件（印刷部数の設定、片面印刷か両面印刷かの設定、ノンソート処理の設定、ソート処理の設定、ステイプル処理の設定、製本処理の設定、パンチ処理の設定、等、各種複数種類の後処理のうちの何れかの後処理の設定、綴じ代の設定、給紙トレイの設定、用紙のサイズや種類に関する設定、出力トレイの設定など）をユーザにより設定可能にする為の印刷設定画面（不図示）を、ＰＣ１０３の表示部に、表示させ、該印刷設定画面を介してユーザにより印刷条件を設定させる。続いて、ステップＳ７１２に進み、該印刷設定画面を介してユーザにより印刷条件が設定され、印刷開始指示が該画面を介して入力されたら、これを受け、ＰＣ１０３の制御部は、ボックス指定情報、文書指定情報、上記印刷設定画面を介して設定されたユーザからの印刷設定情報、印刷指示情報等を関連づけてＭＦＰ１０１にデータ送信し、上記選択したドキュメント（即ち、該ＭＦＰ１０１が具備する記憶装置１０６内の複数のボックスのうちの上記ＰＣ１０３にてユーザが選択したボックスで且つ、該ボックス内の複数のドキュメントのうちの、ＰＣ１０３にて選択されたドキュメントに相当）の、上記印刷条件に従ったプリント動作を、ＭＦＰ１０１に、実行させるよう制御する。
【００８３】
このように、ステップＳ７０３で印刷を選択した場合は、ステップＳ７０２で選択されたファイルをＭＦＰ１０１の記憶装置１０６内のボックスから読み出し、ステップＳ７０４の印刷出力設定に基づいて、ＭＦＰ１０１からプリント出力する。正確には、ステップＳ７１２は、ＰＣ１０３のＲｅｍｏｔｅＵＩ側の処理であるため、印刷命令をＭＦＰ１０１へ送信し、ＭＦＰ１０１は、この印刷命令を受信することで、プリント出力を行っている。また、このように、ユーザによりプリントモードが指示された場合には、後述するような、該選択したファイル（ドキュメント）のサイズ計測処理及び該計測結果のユーザへの通知処理を行わないように、ＰＣ１０３側の制御部、及び／又は、ＭＦＰ１０１側の制御部により、制御する（ファイルサイズの計測処理及び計測結果の通知処理の実行を禁止する）。これにより、不要な処理をＭＦＰ及びＰＣにて実行させることなく、且つ、ＰＣとＭＦＰとで不要なデータのやり取りを防止して、ＭＦＰが具備する機能の使い勝手が損なわれないようにしている。
【００８４】
一方、ステップＳ７０３で送信を選択した場合（例えば、図９（ｃ）のドキュメント選択画面上の指示入力欄９０１にて送信ボタンをユーザがクリックした場合）は、ステップＳ７０５に進み、ＰＣ１０３の制御部は、図９（ｃ）のドキュメント選択画面を介してユーザにより選択されたドキュメント（ファイル）をＭＦＰ１０１により記憶装置１０６のボックスから読み出させユーザの指定した送信先に対してデータ送信させる際の該ドキュメントのデータ送信方法をユーザにより選択可能にする為の、送信方法選択画面、を、ＲｅｍｏｔｅＵＩ上（ＰＣ１０３の表示部）に、表示させるよう制御する。この送信方法選択画面の一例を図１０に示す。
【００８５】
［送信方法選択画面（ステップＳ７０５）：図１０］
図１０は、図９（ｃ）の操作画面を介してユーザにより送信モードが選択された（指示部９０２の送信ボタンがクリックされた）ことを、ステップＳ７０３において判断した場合に、ステップＳ７０５でＰＣ１０３の制御部が、ＲｅｍｏｔｅＵＩ画面（ＰＣ１０３の表示部）に、表示させる、ダイアログボックスの例を示している。図１０において、１００１、１００２で示されるように選択したファイルに対して、送信ファイル方式、及び、送信ファイル圧縮率を指定することが可能である。送信ファイル方式は、Ｅ−ｍａｉｌ添付送信やファイル送信が選択可能であり、Ｅ−ｍａｉｌ添付送信とは、選択したファイルをＥ−ｍａｉｌ添付のファイルとして送信を行う送信方式であり、Ｅ−ｍａｉｌの表題、文面なども別途入力可能である。ファイル送信とは、選択したファイルのみを送信する送信方式であり、主にＦＴＰやＳＭＢファイル送信などを示している。１００１では、例としてファイル送信が選択されているものとする。送信ファイル圧縮率は、送信時のデータのＪＰＥＧ圧縮率を選択することが可能であり、低圧縮、普通圧縮、高圧縮が選択可能である。１００２では、例として低圧縮が選択されているものとする。また、ここでは、ＪＰＥＧ圧縮率を例として挙げているが、画像の圧縮方式については、任意である。
【００８６】
その他、不図示ではあるが、この画面又は他の画面に移行可能にし、該画面上において宛先の設定（ＭＦＰ１０１からどの装置にデータを送信させるか、その宛先の設定）、及びデータタイプ（ＰＤＦ、ＪＰＥＧ、ＴＩＦＦ）等の設定をユーザにより実行可能にする為の表示をＰＣ１０３に実行させ、該表示を介してユーザにより宛先やデータタイプの設定を行う。尚、本形態では、このような、データの送信先である宛先設定やデータタイプの設定自体も、送信設定の中の１つの設定項目（パラメータ）として取り扱う。又、第１の実施形態では、送信の際のデータタイプは、ＪＰＥＧであるとして説明を行うが、他のデータタイプでも問題なく、例えば、データタイプがＰＤＦであった場合でも、低圧縮、普通圧縮、高圧縮の選択可能が可能である。また、圧縮率の選択ができない場合でも特に問題はない。さらに、不図示ではあるが、ＭＦＰ１０１の有する画像処理（フィルタ、下地飛ばし、解像度変換、モノクロ変換処理）を送信ファイル方式の画像処理オプションとして加えておいてもよい。
【００８７】
１００３は、本発明のポイントとなるファイルサイズ確認ボタンであり、１００４は、送信ボタン、１００５は、キャンセルボタンである。１００３のファイルサイズ確認ボタンがユーザによって押下されると、ステップＳ７０６のファイルサイズ確認では、ＹＥＳとなり、ステップＳ７０７に進む。なお、ステップＳ７０７〜ステップＳ７１０までの処理は後で詳しく説明する。一方、１００４の送信ボタンが押下されると、ステップＳ７０６でＮＯとなり、ステップＳ７１１に進み、さらに、ステップＳ７１１で送信するを選択された場合、ステップ７１３に進み、先に、指定、選択した宛先、送信ファイル方式、送信ファイル圧縮率、データタイプに基づいてステップＳ７１３で送信が行われる。また、不図示ではあるが、１００４の送信ボタンを押した場合、ステップＳ７１１で送信するか否かの判断を行わず、直ちにステップＳ７１３で送信を行ってもよい。１００５のキャンセルボタンを押すと、キャンセルが行われ、ステップＳ７０１に戻る。
【００８８】
このように、ＰＣ１０３の制御部は、図９（ｃ）のドキュメント選択画面のドキュメント選択部９０２を介してユーザによりドキュメントが選択され、且つ、ユーザにより該選択されたドキュメントの送信指示が該画面の指示部９０１の送信ボタンを介して入力された場合に、図１０のような、該選択されたドキュメントをＭＦＰ１０１から該ユーザにより指定された宛先（この例では、ＰＣ１０４）にデータ送信する場合の、該ドキュメントの送信方法（例えば、図１０のような、送信ファイルの送信方式に関する設定条件、送信ファイルの圧縮率に関する設定条件、及び、これ以外でも、宛先の設定、データタイプの設定、件名の設定などを各種の送信設定条件パラメータを含む）を、該ユーザにより設定可能にする為の、各種の送信設定指示部（例えば、図１０の指示部１００１や指示部１００２を含む）を具備した、送信設定画面を、ＰＣ１０３の表示部に、表示させるよう制御する。
【００８９】
そして、更に、ＰＣ１０３の制御部は、図１０のように、ユーザによる送信方法の設定が全て完了（確定）したうえで（但し、必ずしも、送信設定が確定していなくてもよい）、且つ、実際に該選択したドキュメントをＭＦＰ１０１のボックスからユーザにより指定された宛先の装置へデータ送信させる前に、該選択したドキュメント（ファイル）を実際にＭＦＰ１０１から上記指定先の装置にデータ転送する際に、如何なるデータサイズで、該ドキュメントが送信されるのかを、該ＰＣ１０３のユーザにより確認可能にする為の、該選択されたドキュメントの実際のデータ送信（転送）サイズ情報、を、ＰＣ１０３の表示部に、表示可能に制御している。尚且つ、このような、該選択されたドキュメントの実際のデータ送信（転送）サイズ（データを送信する際の該データのデータ量）情報をＰＣ１０３の表示部に表示させるか否かをユーザ自身により選択可能にする為の表示（図１０のファイルサイズ確認ボタン１００３）を、ＰＣ１０３の表示部に、表示させるよう制御し、この表示（図１０のファイルサイズ確認ボタン１００３）を介して、ユーザにより上記サイズ情報の表示指示が入力された場合には、上記サイズ情報をＰＣ１０３の表示部に表示させ、一方、当該表示（図１０のファイルサイズ確認ボタン１００３）を介して、ユーザにより上記サイズ情報の表示指示が入力されなかった場合には、上記サイズ情報をＰＣ１０３の表示部に表示させることを禁止して、例えば、上記送信ボタン１００４を介して送信指示が入力されたことに応答し、ＭＦＰ１０１のボックスから、該選択されたドキュメントを、図１０のような送信設定画面を介してユーザにより設定された送信処理条件（送信方法）に従って、該ユーザにより設定された宛先に送信可能に制御している。
【００９０】
尚、図１０のように、ユーザにより送信方法を設定する為の送信条件設定ボタン（１００１、１００２の各操作指示部）と共に、該ファイルサイズ確認ボタン１００３を具備するような操作画面を、表示部に、表示させるような構成良いが、送信設定ボタン（１００１、１００２の各操作指示部）を具備した操作画面と、ファイルサイズ確認ボタン１００３を具備した操作画面とが、別画面で、それぞれ、表示させるような表示制御でも良い。何れにしても、ＰＣ１０３の制御部は、ＭＦＰ１０１の記憶装置１０６内に格納されている複数のドキュメントデータのうちの、図９（ｂ）の操作画面を介してユーザにより選択されたドキュメントに対する送信設定をユーザにより実行可能にする為の第１の表示（指示部１００１や指示部１００２等）を、ＰＣ１０３の表示部に、実行させる共に、該第１の表示を介してユーザにより設定された送信条件に従って該選択されたドキュメントをＭＦＰ１０１から送信する場合の該データのデータ量をＰＣ１０３の表示部を介してユーザに通知させるか否かのそのその実行可否をユーザにより決定可能にする為の第２の表示（ファイルサイズ確認ボタンに相当）を、ＰＣ１０３の表示部に、実行させるよう制御する。これにより、従来例のような問題が発生するのを未然に防止可能にしている。尚且つ、送信モードが選択されたからといって一律的に必ず実際の送信時のデータサイズをユーザに提示させることなく、ユーザからの意思を尊重し、ユーザからリクエストがあれば提示するように構成することで、ユーザからの幅広いニーズに対応した使い勝手のよい装置、システム環境を提供可能にしている。尚、ここでは、ＭＦＰをＰＣからリモートＵＩ機能を使って遠隔操作可能にした構成例について説明しているので、ファイルサイズ確認ボタン１００３がＰＣにてユーザにより押下された場合、ＰＣ１０３とＭＦＰ１０３とでは以下のような制御、データのやり取りが行われる。
【００９１】
ＰＣ１０３の表示部に表示させた、ファイルサイズ確認ボタン１００３がユーザにより押下された（マウスによりクリックされた）場合（ステップＳ７０６にて、ファイルサイズ確認を行う場合）について詳細に説明する。ファイルサイズ確認とは、送信用のデータサイズを予め確認する（実際にＭＦＰから相手先にデータ送信する前にユーザにより確認可能にする）ための手段であり、送信用ファイルの生成は行うが、送信は行わないよう制御している。ステップＳ７０７では、データサイズが大きすぎる場合等に圧縮率などの再設定を行うことが可能である。例えば、データサイズをＰＣ１０３の表示部を介してユーザに提示した結果、ユーザがそれを見て、送信時のデータサイズが大きいと判断した場合には、該ユーザ自身が、そのドキュメントの送信設定を、再度、図１０のような送信方法設定画面を介してやり直し可能に制御している。
【００９２】
ステップＳ７０７では、図１０の送信設定画面の指示部１００２を介してユーザにより如何なる圧縮率が複数の選択候補（低圧縮／普通圧縮／高圧縮）の中から選択指示されたかを確認する。図１０の例では、ユーザにより低圧縮が選択されている例である。尚、図１０の送信設定画面をＰＣ１０３の表示部に表示した際には、デフォルトして低圧縮が選択されているように構成しているが、如何なる圧縮率をデフォルトにしておいてもよく、少なくとも、ユーザが所望とする圧縮率を選択可能な構成であれば良い。このように、本形態では、ＰＣ１０３のユーザインタフェースを介して圧縮率の設定を含む１又は複数の設定項目を含む一連の送信設定条件をユーザにより設定可能にしており、ファイルサイズ確認指示がファイルサイズ確認ボタン１００３を介して入力された場合に、該ユーザが設定した圧縮率の設定を含む各種の送信設定の各設定内容をＰＣ１０３の制御部が確認する。
【００９３】
次に、ステップＳ７０８にてＭＦＰ１０１へ情報送信を行い、送信用ファイルサイズの計測処理をＭＦＰ１０１に実行させ、且つ、その計測結果を、ＰＣ１０３に返信させるように制御する。このステップでは、例えば、ＰＣ１０３のユーザインターフェース（図９（ａ）〜図１０の各種ＵＩ）を介して、ユーザにより選択されたボックス内の該ユーザにより選択されたドキュメント（ファイル）を、該ユーザにより設定された送信処理条件（送信方法）によって、ＭＦＰ１０１のボックスから相手先装置に対してデータ送信する場合に、如何なるデータサイズになるのかを、実際に、ＭＦＰ１０１の制御部が主体となって、ＭＦＰ１０１からそのドキュメント（但し、オリジナルデータに対して送信の為の処理を施さないようにしたいならば、そのドキュメントのコピー）に対して、ユーザにより設定された画像処理等をＭＦＰ１０１の画像処理ユニット等の関係するユニットに実験的に実行させる等をして、計算させるよう指示し、その計測結果情報をＭＦＰ１０１からＰＣ１０３に返信させるようＭＦＰ１０１に対して指示する為のコマンドデータ（データ送信時のファイルサイズの計算処理の実行指示、及び、その計算結果の返信指示を含む）を、ＰＣ１０１からＭＦＰ１０１に送信する。そして、このような処理をＭＦＰ１０１に実行させるべく、前述したような、図１０のようなＰＣのユーザインターフェイスユニットを介してユーザが如何なる送信条件を設定したかを、ＭＦＰ１０１側の制御部が判断できるように、ＰＣにてユーザが設定した、送信ファイル方式、送信ファイル圧縮率、データタイプなどの各種の送信設定情報を、上記コマンドデータと共に、ＭＦＰ１０１へネットワークを介して送信する。ＭＦＰ１０１側でのファイルサイズ計測については、後述する。
【００９４】
次に、ステップＳ７０９にて、ＰＣ１０３がＭＦＰ１０１から上記データ送信時のファイルのデータサイズの計測結果データを受信するのを待機し、ＰＣ１０３がネットワークを介してＭＦＰ１０１から該計測結果データを受信すると、これを受け、ＰＣ１０３の制御部は、該計測結果データに基づいて、ステップＳ７１０でファイルサイズ（このファイルサイズは、ＭＦＰ１０１の記憶装置１０６内の、図９（ｃ）の操作画面を介してＰＣ１０３側のユーザにより選択されたドキュメントを、図１０の操作画面等のユーザインターフェースを介して該ＰＣ１０３側のユーザが設定した送信処理条件に従って、ＭＦＰ１０１から該ＰＣ１０３側のユーザにより設定された宛先にデータ送信する場合における、送信時のデータサイズ情報に相当する）を、ＰＣ１０３の表示部に表示させるよう制御する。
【００９５】
図１１は、その時のＲｅｍｏｔｅＵＩ画面（ＰＣ１０３の表示部）に表示されるダイアログボックスの例を示している。ＰＣ１０３の制御部は、図１１のような、ＭＦＰ１０１の記憶装置１０６内に格納されている複数のファイル（ドキュメント。文書データや画像データとも呼ぶ）のうちの、該ＰＣ１０３のユーザにより選択されたファイルの、該ＰＣ１０３のユーザにより設定された送信条件（送信ファイル方式設定や送信ファイル圧縮率設定等の各種送信条件パラメータ）に従ってＭＦＰ１０１からデータ送信させる場合（実際にはまだＭＦＰ１０１から他の装置へデータ送信していない状態）における、該ファイルの送信時のデータサイズ（このデータサイズはＭＦＰ１０１により計算させる）を該ＰＣ１０３のユーザにより確認可能にする為の、ファイルサイズ計測結果情報、を表示可能にする、ファイルサイズ計測結果表示部１１０１を具備した操作画面を、ＰＣ１０３の表示部に、表示させるよう制御する。
【００９６】
尚且つ、ＰＣ１０３の制御部は、ＰＣ１０３の表示部に、上記ファイルサイズ計測結果をユーザに確認させる為の、ファイルサイズの計測結果を示すファイルサイズ情報の表示（表示部１１０１に相当。第３の表示とも呼ぶ）を実行させると共に、このファイルを、どのような送信条件で送信させようとしているのか（どのような送信条件が設定されているか）を該ＰＣ１０３のユーザ自身に確認させるべく、図１０等のユーザインターフェースを介してＰＣ１０３のユーザが設定した送信条件を該ユーザ自身により確認可能にする為の、送信設定条件情報の表示（第４の表示とも呼ぶ）を、ＰＣ１０３の表示部に、実行させるよう制御する。この例では、図１０のＵＩによる設定により、このファイルの送信方式は、ファイル送信であり、且つ、設定された圧縮率は、低圧縮であることをユーザに通知させる。尚、不図示だがその他の送信条件も表示可能にし、ユーザにより確認させようとしている。
【００９７】
尚且つ、ＰＣ１０３の制御部は、上述の上記第４の表示を介してＰＣ１０３のユーザにより如何なる送信条件が設定されているかを確認させ、且つ、その設定条件の場合に、どのようなデータサイズで、先の図９（ｃ）の画面にて指定されたファイル（ドキュメント）が、ＭＦＰ１０１から相手先の装置にデータ送信されるのか、その送信時のデータサイズを、実際にＭＦＰ１０１からデータ送信する前に、事前に、上記第３の表示を介して、該ＰＣ１０３のユーザ自身により確認させたうえで、この第４の表示にて提示している送信条件に従って、該注目ファイルをＭＦＰ１０１から該ＰＣ１０３のユーザにより指定した宛先（この例では、ＰＣ１０４に転送させようとしている）に対して、送信させる（送信を許可する）よう、ＭＦＰ１０１に対して指示を該ＰＣ１０３のユーザにより入力可能に為の、送信ボタン１１０３（第５の表示とも呼ぶ）を、表示部に表示させるよう制御する。
【００９８】
尚且つ、ＰＣ１０３の制御部は、上述の上記第４の表示を介してＰＣ１０３のユーザにより如何なる送信条件が設定されているかを確認させ、且つ、その設定条件の場合に、どのようなデータサイズで、先の図９（ｃ）の画面にて指定されたファイル（ドキュメント）が、ＭＦＰ１０１から相手先の装置にデータ送信されるのか、その送信時のデータサイズを、実際にＭＦＰ１０１からデータ送信する前に、事前に、上記第３の表示を介して、該ＰＣ１０３のユーザ自身により確認させたうえで、この第４の表示にて提示している送信条件に従って、該注目ファイルをＭＦＰ１０１から該ＰＣ１０３のユーザにより指定した宛先（この例では、ＰＣ１０４に転送させようとしている）に対して、送信させないよう（送信を禁止する）ように、ＰＣ１０３及び／又はＭＦＰ１０１に対して、キャンセル指示を該ＰＣ１０３のユーザにより入力可能に為の、キャンセルボタン１１０４の表示（第６の表示とも呼ぶ）を、表示部に実行させるよう制御する。
【００９９】
尚且つ、ＰＣ１０３の制御部は、上述の上記第４の表示を介してＰＣ１０３のユーザにより如何なる送信条件が設定されているかを確認させ、且つ、その設定条件の場合に、どのようなデータサイズで、先の図９（ｃ）の画面にて指定されたファイル（ドキュメント）が、ＭＦＰ１０１から相手先の装置にデータ送信されるのか、その送信時のデータサイズを、実際にＭＦＰ１０１からデータ送信する前に、事前に、上記第３の表示を介して、該ＰＣ１０３のユーザ自身により確認させたうえで、この第４の表示にて現在提示している送信条件に従って、該注目ファイルをＭＦＰ１０１から該ＰＣ１０３のユーザにより指定した宛先（この例では、ＰＣ１０４に転送させようとしている）に対して、送信させないよう（送信を禁止する）にし、且つ、上記第４の表示にて提示している送信条件を含む、図１０のユーザインターフェース等を介してＰＣ１０３のユーザにより設定済みの送信条件を、該ＰＣ１０３のユーザ自身により再設定される為の指示を、該ＰＣ１０３のユーザにより入力可能に為の、再設定ボタン１１０２の表示（第７の表示とも呼ぶ）を、表示部に実行させるよう制御する。
【０１００】
以上がステップＳ７１０でＰＣ１０３の制御部が実行する処理である。
【０１０１】
そして、該ＰＣ１０３の上記第３の表示を介して送信時のデータサイズを確認したユーザにより、上記第５の表示を介して上記送信指示が入力された場合には（送信ボタン１１０３がクリックされたら）、上記第４の表示にて提示している送信条件を含む、図１０のＵＩ等の先の送信設定画面にてＰＣ１０３のユーザにより設定された処理条件に従ったデータ送信処理を、ＭＦＰ１０１に実行させる（送信を許可する）よう制御する（ＰＣ１０３の制御部が、ステップＳ７１１の判断を行い、ステップＳ７１１の判断結果がＹＥＳによりステップＳ７１３の処理を行う場合に相当する）。
【０１０２】
一方、該ＰＣ１０３の上記第３の表示を介して送信時のデータサイズを確認したユーザにより、上記第５の表示を介してキャンセル指示が入力された場合には（キャンセルボタン１１０４がクリックされたら）、上記第４の表示にて提示している送信条件を含む、図１０のＵＩ等の先の送信設定画面にてＰＣ１０３のユーザにより設定された処理条件に従ったデータ送信処理を、ＭＦＰ１０１に実行させることを禁止する（この場合、画面を閉じて処理を終了させる）よう制御する（図７には示していないが、図７の処理を終了する場合に相当）。
【０１０３】
一方、該ＰＣ１０３の上記第３の表示を介して送信時のデータサイズを確認したユーザにより、上記第７の表示を介して上記送信条件の再設定指示が入力された場合には（送信ボタン１１０３がクリックされたら）、上記第４の表示にて提示している送信条件を含む、図１０のＵＩ等の先の送信設定画面にてＰＣ１０３のユーザにより設定された処理条件に従ったデータ送信処理を、ＭＦＰ１０１に実行させることを禁止し、且つ、該先に設定済みの送信条件を該ＰＣ１０３のユーザにより再設定可能に制御する。この場合、図１０のＵＩ等の送信条件をＰＣ１０３のユーザにより設定する為の送信設定画面を、再度、ＰＣ１０３の表示部に表示させるよう制御する（ＰＣ１０３の制御部が、ステップＳ７１１の判断を行い、ステップＳ７１１の判断結果がＮＯによりステップＳ７０７の処理に戻る場合に相当）。送信条件の再設定は、何度でも実行可能にする。
【０１０４】
これにより、例えば、ＭＦＰ１０１から第１の送信データサイズ（例えば１２Ｍｂｙｔｅ）でデータ送信されるような第１の送信処理条件（例えば低圧縮設定）を、ユーザが、意図的、或いは、気づかずに、ＰＣ１０３の操作部（モニタ４０１及びキーボード４０２）にて設定した場合に、上記サイズ情報の報知処理をＰＣ１０３の操作部（モニタ４０１）で実行することにより、その設定だと１２Ｍｂｙｔｅでデータ送信されることを該ＰＣ１０４の操作部（モニタ４０１）を介してＰＣ１０３のユーザに把握確認させ、そのことを気づいた該ユーザにより、該データサイズよりも送信データ量が小さい第２の送信データサイズ（例えば４Ｍｂｙｔｅ）になるような第２送信処理条件を、上記ＰＣ１０３の操作部（モニタ４０１やキーボード４０２）を介して、設定変更させ（低圧縮設定から高圧縮設定に変更させ）、そして、再度、上記サイズ情報の報知処理を該ＰＣ１０３の操作部（モニタ４０１）で実行することで、この設定変更後の第２送信処理条件だと４Ｍｂｙｔｅでデータ送信できるということを該ユーザに確認させたうえで、そのうえで、この４Ｍｂｙｔｅのデータサイズでもって所望の相手先にデータ送信するよう該ユーザにより該ＰＣ１０３の操作部（モニタ４０１、キーボード４０２）を介して指示できるようにし、その指示に基づいたデータ送信動作をＭＦＰ１０１に実行可能に構成することが出来る。
勿論、該ＭＦＰ１０１をリモートＵＩで遠隔操作しているＰＣ１０３のユーザ自身の都合や現在の時間帯やネットワークの状況や送信先の状況・能力・性能などを該ユーザが考慮検討した結果、第１の送信データサイズでも特に問題ないと判断した場合には、上記第１の送信処理条件でもって、所望のデータを所望の宛先へＭＦＰ１０１からデータ送信するよう指示することも出来る。このように、ユーザにとってよりよいデータ送信方法でもって送信可能によればよい。
【０１０５】
尚、第１の実施形態では、図１１のように、第３の表示〜第７の表示を、同一画面上で、ＰＣ１０３の表示部に実行させるようにＰＣ１０３の制御部により制御しているが、本形態は、このような表示形態に限らず、例えば、各表示をそれぞれ別画面にて表示させるように制御したり、一部の表示をある画面上に表示させ、残りの表示は他の画面に表示させるように制御してもよい。このように如何なる表示形態でも、上述した構成、趣旨を逸脱しなければ良い。
【０１０６】
図７のステップＳ７０６〜ステップＳ７１３等の一連のフローを経ることで、ＰＣ１０３のユーザは、先の、ファイルサイズ計測結果を見て、そのまま送信するか、再設定を行うかの送信確認を行うことが出来る。
【０１０７】
そして、送信ボタン１１０３を押すと、ステップＳ７１１の送信確認では、ＹＥＳとなり、ステップＳ７１３で送信が行われる。ここで、正確には、ステップＳ７１３は、ＰＣ１０３のＲｅｍｏｔｅＵＩ側の処理であるため、送信命令をＭＦＰ１０１へ送信し、ＭＦＰ１０１は、この送信命令を受信することで、送信処理を行っている。
【０１０８】
再設定を行う場合、再設定ボタン１１０２を押すと、ステップＳ７１１の送信確認では、ＮＯとなり、ステップＳ７０７に戻る。ここで、ユーザーは、例えば、図１２で示すように、送信ファイル圧縮率を普通圧縮に変更する。そして、図１２の画面で、再度、ファイルサイズ確認ボタン１００３がユーザにより押下されたら、今度は、図１２の画面で再設定（設定変更）された送信条件に基づいて、ＭＦＰ１０１側でファイルサイズ計測を再度実行させ、ステップＳ７１０で、送信条件の設定変更後のファイルサイズを再表示する。また、図７のフローチャートでは、不図示であるが、キャンセルボタン１１０４を押すと、キャンセルが行われ、ステップＳ７０１又はステップＳ７０３に戻るよう制御する。
【０１０９】
尚、第１の実施形態で、送信設定条件の１つとして、高圧縮に設定するとは、選択されたファイル（ドキュメント）の送信時のデータ量（データサイズ）を、普通圧縮及び低圧縮の場合のデータサイズよりも、小さく（データサイズを小さく）してＭＦＰ１０１により送信させることを意味する。一方、低圧縮にするという意味は、殆ど圧縮処理を施さずに、送信するものであり、選択されたファイル（ドキュメント）の送信時のデータ量（データサイズ）を、普通圧縮及び高圧縮の場合のデータサイズよりが大きい状態で、ＭＦＰ１０１によりデータ送信させることを意味する。普通圧縮は、上記低圧縮と高圧縮の略中間程度の設定である。
【０１１０】
例えば、図９（ｃ）の画面で選択されたドキュメントのデータ量（このデータ量は、送信処理を行う前のファイルのデータサイズ。即ち、ボックスにこのファイルを格納した時のデータ量。生データのサイズとも呼ぶ）が、例えば１２ＭＢｙｔｅの場合において、図１０のように低圧縮設定がなされた場合には、そのファイルは例えば送信時のファイルサイズが１０ＭＢｙｔｅとなり、その状態でデータ送信され、一方、図１２のように普通圧縮が設定された場合には、そのファイルは例えば送信時のファイルサイズが６ＭＢｙｔｅとなり、その状態でデータ送信され、一方、高圧縮設定がなされた場合には、そのファイルは例えば１ＭＢｙｔｅとなり、その状態でデータ送信されるよう、ＰＣ１０３の制御部及び／又はＭＦＰ１０１の制御部により制御する。本形態は、このように、ＰＣ１０３からのユーザの遠隔操作によりＭＦＰ１０１からＭＦＰ１０１の記憶装置１０６内のデータのデータ送信処理を実行させる際に送信時のデータサイズをＰＣ１０３のユーザ自身により選択的に指定可能にしている。そして、このような構成を前提として、ＰＣ１０３のユーザ自身に、その選択した設定の場合における送信時のデータサイズを通知可能に構成している。
【０１１１】
このように、第１の実施形態は、ＭＦＰ１０１の記憶装置（ボックス）１０６に格納されているファイルのデータ量を単にユーザに提示するようなものではない（このように、単にメモリに格納されているデータのサイズをユーザに通知可能にしたところで、従来技術のような課題を何ら解決できない）。本形態は、上記従来技術の課題を解決するべく、ボックスに格納されているファイルを実際に送信する際の送信時のデータ量を、送信処理を行う前に事前に、ユーザに提示可能に構成する。その上で、送信するか否かの、その送信処理の実行可否（許可／禁止）を該ユーザ自身により決定可能にし、且つ、適宜、送信条件の設定をやり直し（再設定）可能に構成している。
【０１１２】
尚、第１の実施形態では、例えば、ＭＦＰ１０１の記憶装置（ボックス）１０６に格納されているファイルのデータ量（圧縮処理等を含む、ファイルをＭＦＰ１０１から送信する為の、ＭＦＰ０１が実行する画像処理等を、ＭＦＰ１０１が実行する前の、生データのサイズ。上の例では、１２Ｍｂｙｔｅ）の情報を、第１タイプのデータ量（データサイズ）情報とする。一方、そのデータを送信する為に送信処理用の画像処理をＭＦＰ１０１により実行させた後の、そのファイルの送信時のデータ量（上の例では、例えば、低圧縮なら１０Ｍｂｙｔｅ、普通圧縮なら６Ｍｂｙｔｅ、高圧縮なら１Ｍｂｙｔｅ）の情報を、第２タイプのデータ量（データサイズ）情報とする。そして、本形態は、この第２タイプのデータサイズ情報を、上記第１タイプのデータサイズ情報と区別して、ユーザに通知可能に表示制御している。尚且つ、図では示していないが、勿論、ユーザからの指示により、第１タイプのデータ量情報をＰＣ１０３の表示部等のユーザインターフェイスユニットに表示させたり（この場合、生データのデータ量は、１２Ｍｂｙｔｅであることを表示する）、第１タイプのデータ量情報と第２タイプのデータ量情報とをユーザからの指示により選択的に切り換えて該ユーザインターフェイスユニットに表示させたり、同一画面上で同時に但しどちらが何れかのデータ量であるかと的確にユーザが識別可能に表示させるように制御しても良い。このように、本形態の効果を更に向上させるような構成でもよい。
【０１１３】
尚、低圧縮時の送信データサイズ（この例では、１０Ｍ）の情報を、第２タイプのデータサイズ情報における第１のデータサイズ情報と称す。普通圧縮時の送信データサイズ（この例では６Ｍ）の情報を、第２タイプのデータサイズ情報における第２のデータサイズ情報と称す。高圧縮時の送信データサイズ（この例では、１Ｍ）の情報を、第２タイプのデータサイズ情報における第３のデータサイズ情報と称す。そして、低圧縮の場合には、普通圧縮時の送信画像の画質よりも、より更に高画質の画像データを送信可能とし、普通圧縮の場合には、高圧縮時の送信画像の画質よりも、より更に高画質の画像データを送信可能としている。
【０１１４】
第１の実施形態は、このように、ＭＦＰ１０１から送信対象となる画像データの画質や、そのデータ量を、複数の選択候補（例えば、低／普通／高圧縮設定ボタン）の中からユーザにより選択決定可能とし、且つ、それぞれの設定結果を事前にＵＩを用いて確認できるようにしている。これにより、例えば、ユーザは、送信対象のデータの画質やデータ量を考慮しながら、更に、ネットワークの状況（平日の８：３０〜１７：００の間はネットワークが混雑する。それ以外の時間帯は空いている等）やネットワークの能力（単位時間あたりでのデータ転送可能量）や、送信先の装置の状況や能力（例えば、どのくらいのメモリを搭載しているか）等を加味しながら、より良いデータ送信形態で、ＭＦＰ１０１の記憶装置１０６内に格納されたファイル（ドキュメント）を、所望の相手先（この例では、ＰＣ１０４）に送信可能にしているので、上記従来技術の課題を解決しながら、よりよい操作環境をユーザに提供し、且つ、操作性、使い勝手を向上させ、様々なユーザからの様々なニーズに対応した操作環境の便利な装置、システムを提供できるようにしている。
【０１１５】
尚、第１の実施形態として、本願が着目する効果を最大限に発揮できる、その一例としての、ＰＣからＭＦＰ１０１を遠隔操作する場合で説明したが、第１の実施形態は、後述するように、ＭＦＰ１０１の操作部を介して、上記ＰＣ１０３での操作環境と同一又は略同じ操作環境を、ＭＦＰ１０１の操作部を操作するユーザに提供可能に構成している。この例は後述する。
【０１１６】
又、第１の実施形態では、上記第２タイプのデータサイズ情報を算出する為の計算処理、及び、その計算結果である第２タイプのデータサイズ情報のユーザへの通知処理を、ＭＦＰ１０１が具備する複数の機能（動作モードとも呼ぶ）のうちの送信機能が選択された場合に、実行可能に制御し、一方、ＭＦＰが具備する複数の機能のうちのコピー機能（プリント機能）等の送信機能以外の機能がユーザにより選択された場合に、上記計算処理及び通知処理の実行を禁止するよう制御している。これにより、例えば、ユーザはコピー機能やプリント機能等を要求しているにも拘らず、ファイルの送信時のデータサイズをユーザに通知してしまう等のユーザへ困惑を与えたり、本来のＭＦＰが持つ利便性が損なわれる等の問題を防止でき、ＭＦＰ特有の高操作性の維持を図ることができる。又、コピー機能やプリンタ機能において不必要な上記計算処理やデータのやり取りを防止でき、システムやネットワークへの無駄な負担を与えないようにすることが出来る。
【０１１７】
尚、第１の実施形態では、上記第１タイプのサイズ情報や第２タイプのサイズ情報をユーザに報知する為の報知手段（通知手段とも呼ぶ）の一例として表示部を用いて主に説明した。しかし、本形態はこれに限らず、例えば、音声を出力する音声ユニット等も報知手段の一例として包含しており、例えば、上記第１タイプのサイズ情報や第２タイプのサイズ情報を該音声ユニットにより音声出力させることでユーザに該サイズ情報を報知可能に制御する構成でも良い。いずれにしても従来技術のような問題が解決可能なシステム構成、装置構成であれば如何なる形態でも適用可能にする。
【０１１８】
又、第１の実施形態では、このＰＣからＭＦＰを遠隔操作する場合の例として、送信対象のファイルの為のＰＣで設定したユーザからの送信設定条件情報をＰＣからＭＦＰに送信させ、ＭＦＰ側で該ＰＣから獲得した該送信設定条件情報、及び、ＭＦＰ側で管理している該送ファイル自体のデータサイズ情報（第１タイプのデータサイズ情報。この例では、１２Ｍｂｙｔｅ）等に基づいて、該送信対象のファイルの送信時のデータサイズ情報（第２タイプのデータサイズ情報）の計算処理を、ＭＦＰの制御部が、実行させる場合を主に説明している。しかし、本形態はこれに限らず、例えば、送信対象のファイル自体のデータサイズ情報（第１タイプのデータサイズ情報。この例では、１２Ｍｂｙｔｅ）を、ＭＦＰからＰＣに対して送信させ、ＰＣの制御部が、上記送信設定情報と該ＭＦＰから獲得した第１データサイズ情報等に基づいて、上記第２タイプのデータサイズ情報を計算し、その計算結果をユーザに報知ユニット（表示ユニットや音声出力ユニット等）を介して報知させるよう制御する構成でもよい。このように、上記理由と同様、従来技術のような問題が解決可能なシステム構成、装置構成であれば如何なる形態でも適用可能にする。
又、第１タイプのデータサイズ情報を用いなくとも、例えば、注目している実際のファイルをもとに（ファイルのオリジナルデータでも良いし、該ファイルのコピーデータでも良い）ユーザにより設定された各種の送信処理条件パラメータに従って、送信用ファイルを作成し、その作成した送信用ファイルのデータのサイズを確認することで、第２タイプのデータサイズ情報を獲得可能に構成してもよい。このようにすれば、第２タイプのデータサイズ情報を算出するのに、第１タイプのデータサイズ情報が要らなくて済む。図８の例では、この送信用ファイルを実際に作成してみることで、送信時のデータサイズを算出する例を用いて説明している。
【０１１９】
次に、ＭＦＰ１０１側での処理を図８のフローチャートを用いて説明する。まず、ステップＳ８０１にて、前述した図７のステップＳ７０８におけるＰＣ（この例ではＰＣ１０３）からの情報（どのボックスがＰＣ１０３のユーザにより選択されたかをＭＦＰの制御部が判断する為のボックス特定情報、及び、そのボックスのどのドキュメント（ファイル）が該ＰＣ１０３のユーザにより選択されたかをＭＦＰの制御部が判断する為のドキュメント特定情報、及び、そのドキュメントに対して如何なる送信処理条件が該ＰＣ１０３のユーザにより設定されたのかをＭＦＰの制御部が判断する為の送信処理条件情報、及び、該ドキュメントを該送信処理条件で処理した場合に、送信時のデータサイズとして如何なるサイズになるのかを計算し、その計算結果をＰＣに返信せよ、という命令を、ＭＦＰの制御部に指示する為のコマンドデータ、等を含む）の受信を待機し、該情報を該ＰＣからネットワーク等の所定のデータ通信媒体（無線ＬＡＮでも良い）で受信すると、ＭＦＰの制御部（この例では、図２のＭＦＰ１０１のＣＰＵ２０５に相当）は、この情報に含まれる必要な情報（例えば、設定された送信ファイル方式や送信ファイル圧縮率やデータタイプ等の送信設定パラメータ）等に基づいて、送信用ファイルを、該選択対象のファイルをもとに、作成する。次に、ステップＳ８０２にて、ＰＣ１０３側にてユーザにより選択された、ＭＦＰ１０１が具備する記憶装置１０６に保存されているボックスデータの解凍処理を、ＭＦＰ１０１が具備する適当なデータ処理ユニット（例えば、図５の画像圧縮部等）により実行させる。ここでは、前述したように、ＭＦＰでは、特有のタイル毎の圧縮処理が施されているため、機器特有の伸長手段５０２を用いてボックスデータの解凍を行う。
【０１２０】
次に、ＭＦＰの制御部は、ステップＳ８０３にて、解凍したボックスデータに対して、前述された情報に基づいて、例えば、この例ではＰＣ１０３にて低圧縮設定がなされているので低圧縮のＪＰＥＧ圧縮を、ＭＦＰ１０１が具備する適当なデータ処理ユニット（例えば、図５の画像圧縮部等）により実行させる。ここでは、前述したように、送信時の圧縮手段５０３を用いて圧縮を行う。
【０１２１】
次に、ＭＦＰの制御部は、ステップＳ８０４にて、生成されたファイル、即ち、ＪＰＥＧ圧縮後のファイルのファイルサイズ計測を行う。例えば、計測方法の一例として、ＭＦＰの制御部は、この作成した送信用ファイルを、図１１のＵＩのボタン１１０２、１１０３、１１０４等により、この作成した送信用ファイルの処置がユーザにより決定されるまでの期間すくなくとも、ＭＦＰ１０１が具備する適当なメモリ部（例えばハードディスク、或いは、ＲＡＭなど）に、保持させておく。よって、このメモリにおける該送信用ファイルのデータ使用量をチェックすることで、該送信用ファイルのサイズ情報を獲得することが出来る。
【０１２２】
ファイルサイズ計測が終了したら、生成されたファイルを削除してもよいが（但し、この場合、ＰＣでボタン１１０３を介して送信指示が入力されたら同じデータを作り直す必要がある）、記憶装置１０６のテンポラリの領域、例えば、図６の６０１などに保存しておき、ステップＳ７１１において再設定を行わず、そのまま送信する場合は（例えば、図１１の表示部１１０１のファイル計測結果を確認したＰＣ１０３のユーザにより、ボタン１１０３を介して送信指示が入力された場合）保存しておいたファイルを送信する方が望ましい。但し、再設定を行う場合（例えば、図１１の表示部１１０１のファイル計測結果を確認したＰＣ１０３のユーザにより、ボタン１１０２を介して送信条件の再設定指示が入力された場合）は、保存しておいたファイルは削除され、ファイルサイズ確認ボタン１１０３の再押下による再度の指示により、該再設定の情報に基づいて、改めてファイルを、上記と同様なやり方で作成するように制御する。
【０１２３】
次に、ステップＳ８０５にて、ＭＦＰ１０１の制御部は、ユーザによるファイルサイズ確認ボタン１００３の押下により送信用ファイルのサイズ情報を要求する為の要求コマンドを送信した送信元のＰＣ１０３に対して、上記ステップＳ８０４にて生成したファイルサイズの計測結果の情報をＬＡＮ１０５を介して送信する。ここで、選択したファイルが複数ある場合（図９（ｃ）のドキュメント選択部９０２を介して複数のファイルがユーザにより選択された場合）、即ち、先のＰＣ１０３側の処理である図７のフローのステップＳ７０２で選択したファイルが複数あり、且つ、ステップＳ７０７にて、それら複数のファイルを一度にまとめて相手先に送信させる設定（複数ファイル一括送信機能の設定）がなされている場合は、それらのファイル全てに対して同様の処理を行い、その合計ファイルサイズを計測する。また、ステップＳ７０５で選択された送信ファイル方式が、Ｅ−ｍａｉｌ添付送信の場合は（図１０のＵＩの指示部１００１でＥ−ｍａｉｌ添付送信設定がなされている場合は）、ファイルサイズに、さらにメールのサイズ（ヘッダー、文面）などを加え、合計ファイルサイズを取得する。このように取得したファイルサイズを、ＰＣ１０３へ送信し、前述したように、ステップＳ７１０で表示する。
【０１２４】
更に、不図示だが、ＭＦＰ１０３の制御部は、図８のフローチャートのステップＳ８０５の処理の後に以下の一連の処理も行う。
【０１２５】
（処理１）ステップＳ８０５にてＭＦＰ１０１がファイルサイズの情報を送信した送信先の装置（この例では、ファイルサイズ要求コマンドをＭＦＰ１０１に対して送信したＰＣ１０３に相当）からＬＡＮ１０５を介して送信される、ＭＦＰ１０１側の動作を制御する為の指示コマンド、の受信を待機する。
【０１２６】
（処理２）ＭＦＰ１０１がファイルサイズの情報を送信した送信先の装置（この例では、ＰＣ１０３）から指示コマンドを受信したら、ＭＦＰ１０１の制御部は、そのコマンドの内容を解析する。
【０１２７】
（処理３）処理２にてコマンドを解析した結果、送信指示の場合（この例では、ＰＣ１０３の図１１の操作画面上の送信ボタン１１０３がユーザにより押下されることに応答して、ＰＣ１０３から出力される送信指示の場合）には、上記ステップＳ８０３の処理で作成した送信用ファイル（図９〜図１０のＵＩでユーザが設定した送信条件に従って、ボックスに格納されているデータから作成した送信用のファイル）を、ＭＦＰ１０１のメモリから読み出して、その読み出した送信用ファイルを、該ユーザにより設定された送信条件で（例えば、低圧縮設定なら低圧縮したデータを、普通圧縮設定なら普通圧縮したデータを、高圧縮設定なら高圧縮したデータを）、該コマンド送信元の装置（この例ではＰＣ１０３）側にて図９〜図１０の各ＵＩを含む送信設定画面を介してユーザにより指定された相手先（この例ではＰＣ１０４）に対して、所定の通信媒体（この例では、ＬＡＮ１０５）を介して、ＭＦＰ１０１の通信ユニット（例えば、ネットワーク部２０８）によりデータ送信させる（送信用ファイルの送信時のデータサイズをユーザが確認したうえで、該ユーザにより設定された送信条件で処理した該ファイルの送信処理を実行することを、該ユーザからの指示により、許可するシーケンス）。
【０１２８】
（処理４）処理２にてコマンドを解析した結果、キャンセル指示の場合（この例では、ＰＣ１０３の図１１の操作画面上のキャンセルボタン１１０４がユーザにより押下されることに応答して、ＰＣ１０３から出力される送信指示の場合）には、上記ステップＳ８０３の処理で作成した送信用ファイル（図９〜図１０のＵＩでユーザが設定した送信条件に従って、ボックスに格納されているデータから作成した送信用のファイル）を、ＭＦＰ１０１のメモリから削除する。尚、データ削除をしなくてもよいが、少なくとも、ユーザからの指示によりステップＳ８０３の処理で作成した送信用ファイルを、該ユーザにより指定された相手先（この例では、ＰＣ１０４）に対して、データ送信することを、禁止する（送信用ファイルの送信時のデータサイズをユーザが確認したうえで、該ユーザにより設定された送信条件で処理した該ファイルの送信処理を実行することを、該ユーザからの指示により、禁止するシーケンス）。
（処理５）処理２にてコマンドを解析した結果、ファイルサイズ要求指示の場合、（この例では、ＰＣ１０３の図１１の操作画面上の再設定ボタン１１０２がユーザにより押下されたことに応答して図１０等の送信設定画面をＰＣ１０３の表示部に再表示させ、且つ、図１１の例のように、送信条件の再設定がなされ、その上で、再度、ファイルサイズ確認ボタン１００３が押下されたことに応答し、ＰＣ１０３が、再設定された送信設定条件情報と共に、ファイルサイズ要求コマンドが指示された場合）には、上記ステップＳ８０３の処理で作成した送信用ファイル（図９〜図１０のＵＩでユーザが設定した送信条件に従って、ボックスに格納されているデータから作成した送信用のファイル）を、ＭＦＰ１０１のメモリから削除し（削除しなくてもよい）、再度、ステップＳ８０３の処理に戻り、送信用データを所定の画像処理ユニット（この例では、図５の画像圧縮部）に再度作成させ、その再度作り直した送信ファイルのサイズをあらためてステップＳ８０４で確認し、そのあらためて作成した送信用ファイルのサイズ情報を、該ファイルサイズ要求指示の送出元の装置（この例では、ＰＣ１０３）に返信するよう制御する（送信用ファイルの送信時のデータサイズをユーザが確認したうえで、該ユーザにより設定された送信条件で処理した該ファイルの送信処理を実行することを、該ユーザからの指示により、禁止し、且つ、送信条件をユーザにより再設定可能にし、且つ、その再設定した送信条件でもって新たに送信用ファイルを作成させ、その新たに作成した送信用ファイルの送信時のデータサイズを、要求元の装置へ返信可能にする、シーケンス）。
【０１２９】
以上の説明により、ＭＦＰのボックスに記憶された画像データのうちのユーザの所望のデータをユーザの所望の送信先（この例ではホストコンピュータ１０４）へ送信する際に、送信前に送信用データサイズ（ファイルサイズ）を、送信処理を希望するユーザの装置の表示部（この例では、ホストコンピュータ１０３）に表示させ、ユーザにファイルサイズを確認させたうえで、送信するか、送信を禁止するか、あらためて送信条件を設定しなおすかを、該ユーザ自身により選択可能にすることで、従来のような問題を解決して、使い勝手が向上した情報処理システムを提供でき、ユーザーは、所望とするファイルサイズで画像データの送信が可能になる。
【０１３０】
尚、第１の実施形態では、ファイルサイズ要求を出力した装置はＰＣ１０３で、データ送信先はＰＣ１０４の場合で説明したが、ファイルサイズ要求を出力したＰＣ１０３自身が送信先として、ＭＦＰ１０３からファイルを受信するような構成でも良い。このように、ファイルサイズを確認した装置自身にＭＦＰ１０１のデータを転送させる例でも良い。
【０１３１】
又、第１の実施形態では、第１情報処理装置としての一例としてコンピュータ１０３、第２情報処理装置としてＭＦＰ１０１と、を含み、それらたＬＡＮ１０５の有線接続された、情報処理システムにて、コンピュータ１０３からＭＦＰ１０１を遠隔操作する場合の例で説明したが、第１の実施形態はこれに限らない。
【０１３２】
例えば、第１情報処理装置の別の例として、少なくとも操作手段と報知手段（表示部や音声出力ユニット等）を有し、且つ、データ通信機能を具備する、ＰＤＡや携帯電話等の携帯情報端末装置やコンピュータを有し、且つ、第２情報処理装置の別の例として、少なくとも、データ入力手段と該データ入力手段により入力したデータを記憶する記憶手段を有し、且つ、そのデータを該携帯端末装置からの指示に基づいた送信条件で他の装置へデータ転送可能にする機能（データ送信機能）を具備する、デジタルカメラやスキャナ装置を有する、情報処理システムで、且つ、これらの装置が無線接続され、該第１情報処理装置からデジタルカメラを遠隔操作できるような構成でも本形態を適用できる。
【０１３３】
ここでは、一例として、デジタルカメラに画像データの撮像処理を行わせ、その撮像データを、複数の撮像データを格納可能なデジタルカメラが具備するメモリに格納させる。そして、デジタルカメラに取り込んだ撮像画像データをデジタルカメラから他の装置（この他の装置は、ＰＤＡ自身でも良いし、他のコンピュータでも良いし、プリンタでも良い。少なくとも、デジタルカメラから転送される撮像画像データを受信する機能と記憶する機能があればよい）にデータ転送させる動作をＰＤＡのユーザが指示する場合を想定する。
【０１３４】
この場合に、例えば、デジタルカメラ内のメモリの中から所望の撮像データをＰＤＡのユーザにより選択可能にし、且つ、その撮像データを如何なる送信条件で送信させるかをＰＤＡのユーザにより設定可能にする為の操作画面を、ＰＤＡの表示部にＰＤＡの制御部が表示させる。該操作画面を介してＰＤＡのユーザにより撮像データの選択とそのデータの送信条件が設定されたうえで、ＰＤＡの制御部は、ＰＤＡの表示部に、その撮像データをその送信条件（転送条件）で、該ＰＤＡのユーザにより指定した宛先に、データ送信する場合に、ファイルサイズ確認ボタン１００３と同等機能を具備するボタンをＰＤＡの表示部に表示させる。そして、該ボタンを介してファイルサイズ確認指示が該ＰＤＡのユーザにより入力されたことをうけ、該ＰＤＡの制御部は、デジタルカメラに対して、ファイルサイズ要求コマンドを無線方式（ｂｌｕｅ  ｔｏｏｔｈ等で）で送信する。
【０１３５】
これをうけ、デジタルカメラの制御は、該ＰＤＡで指定された送信条件に基づいて、該ＰＤＡで指定された撮像データから送信用データを自装置の画像処理ユニットに作成させる。そして、その送信用データのデータサイズ情報を、ＰＤＡに無線で返信する。これを受け、ＰＤＡの制御は、該データサイズ情報をＰＤＡの表示部に表示させる。且つ、該データサイズ情報を確認したＰＤＡのユーザにより、該作成した送信用データをデジタルカメラから送信先に送信させる指示を入力可能にする表示（送信ボタン１１０３と同等のボタン）を該ＰＤＡの表示部に実行させる。且つ、該データサイズ情報を確認したＰＤＡのユーザにより、該作成した送信用データをデジタルカメラから送信先に送信させることをキャンセルする指示を入力可能にする表示（キャンセル１１０４と同等のボタン）を該ＰＤＡの表示部に実行させる。且つ、該データサイズ情報を確認したＰＤＡのユーザにより、該作成した送信用データをデジタルカメラから送信先に送信させることをキャンセルし、且つ、送信対処となる該データの送信条件をユーザにより再設定可能にする為の指示を入力可能にする表示（再設定ボタン１１０２と同等のボタン）を該ＰＤＡの表示部に実行させる。そして、該ＰＤＡの上記表示を介してユーザにより送信指示が入力された場合には、ＰＤＡの制御部は、該送信用データを該ユーザの指定した送信先の装置にデータ転送させるようデジタルカメラを制御する。一方、該ＰＤＡの上記表示を介してユーザによりキャンセルが入力された場合には、ＰＤＡの制御部は、該デジタルカメラ内のメモリに保持している送信用データをデジタルカメラに削除させ、該送信用データを該ユーザの指定した送信先の装置にデータ転送させることを禁止する。一方、該ＰＤＡの上記表示を介してユーザにより再設定指示が入力された場合には、ＰＤＡの制御部は、再度送信設定画面をＰＤＡの表示部に表示させ、ユーザにより送信条件を再設定させるように制御する。
【０１３６】
第１の実施形態は、このような情報処理システムにおいても適用可能であり、このようなシステムでも上記従来技術のような問題を解決した上記効果と同等効果を奏することが出来る使い勝手の良いシステムを適用できる。
【０１３７】
＜第２の実施形態＞
第１の実施形態では、第１情報処理装置の一例としてのホストコンピュータと第２情報処理装置の一例としてのＭＦＰがネットワーク等の伝送媒体を介して接続されたシステムにおいて、ＭＦＰのボックスに記憶された画像データをホストコンピュータへ送信する際に、ホストコンピュータのＲｅｍｏｔｅＵＩを用いて、ＭＦＰのボックスデータに対して、ファイル選択、ファイルサイズ確認、送信、印刷の制御を行っていた。このように、第１情報処理装置から第２情報処理装置を遠隔操作可能にした情報処理システムの場合について主に説明した。
【０１３８】
第２の実施形態では、ユーザに情報を報知する報知手段の一例としての表示部を具備した第１情報処理装置の一例に相当するＭＦＰの操作部（オペレーションパネル）と、データ出力（このデータ出力とはデータ送信、データ転送のことを少なくとも意味する）機能を具備した第２情報処理装置の一例に相当する該ＭＦＰの画像形成装置本体と、を有する情報処理システムにおいて、該ＭＦＰの操作部を用いて、第１実施形態と同様な操作環境および制御、さらには、読み取り原稿のコピー、送信、印刷の制御を行う方法について説明を行う。尚、第１の実施形態で第１情報処理装置から第２情報処理装置を操作することをリモート操作とするならば、第２の実施形態で第１情報処理装置から第２情報処理装置を操作することをローカル操作と呼ぶ。尚、第２の実施形態のＭＦＰは、第１の実施形態と同等の機能、構成を具備した第１の実施形態と同じＭＦＰ（ＭＦＰ１０１）を用いている例で説明するので、第２の実施形態で詳述しない部分は全て第１の実施形態と同様とする。
【０１３９】
［送信用データサイズの確認方法、送信、印刷の制御方法：図１３〜１７］
以下、図１３〜１７を用いて、第２の実施形態の詳細について説明する。図１３は、第２の実施形態におけるＭＦＰ（この例では、図１のＭＦＰ１０１に相当する）の操作部（この例では、図２のＭＦＰ１０１の操作部の２０３に相当する）を用いて、前述した制御を行うためのフローチャートである。なお、図１３に示す第２の実施形態のフローチャートでは、第１の実施形態のフローチャート（図７）で説明したステップＳ７０４〜７１１と同様の処理を行う場合があるが、その処理は、図１３中に図７の処理と同じ符号を付すこととし、その説明は重複するので、ここでの説明は省略した。
【０１４０】
［画像処理装置（ＭＦＰ）の処理：図１３］
まず、ステップＳ１３０１にて、ＭＦＰの制御部（この例では、図２のＭＦＰ１０１のＣＰＵ２０５に相当する）は、ＭＦＰの表示部（この例では、操作部２０３の構成を示している図１４に示す、操作部２０３が具備する表示部１４０１、に相当する）に、ＵＩ画面の表示処理を実行させる等の各種の制御を行う。図１４は、ＭＦＰ１０１の操作部（この例では、図２のＭＦＰ１０１の操作部の２０３に相当する）の概略図を示しており、操作部２０３は、表示機能及び操作指示入力機能の両機能を兼ね備えている液晶タッチパネル形式の表示部１４０１や、テンキー１４０２やスタートキー１４０３等を具備している。尚、表示部１４０１に表示させる各種のボタンは所謂ソフトキーであり、その他のキーはメカ的なハードキーなどで構成される。しかし、これ以外の構造でも良い。
【０１４１】
ステップＳ１３０１にて、ＭＦＰ１０１の制御部は、例えば、操作部２０３の表示部１４０１に、例えば、図１５に示すような操作画面を表示させる。図１５は、コピー機能や送信機能やボックス機能などの複数の機能を具備するＭＦＰ１０１の初期画面の表示例であり、この例では、コピー機能のメイン画面を表示させている。ＭＦＰ１０１の表示部には、ＭＦＰ１０１が具備する各機能を選択する為の機能ボタンを表示させるように制御しており、例えば、図１５の操作画面は、コピー機能ボタン１５０１がユーザにより押下された（ボタンが指でタッチされた）ことによりコピー機能が選択されていることを示している。ここで、例えば、図１５の操作画面の送信／ファックスボタン１５０２がユーザにより押下された場合には、ＭＦＰ１０１の制御部は、送信モードを選択し、且つ、表示部１４０１に、図１６に示したような、送信機能のための操作画面を表示させるよう制御する。一夫、図１５の操作画面上でボックス機能キー１５０３がユーザにより押下された場合には、ＭＦＰ１０１の制御部は、表示部１４０１に、図１７に示すボックス機能のメイン画面を表示させる。尚、各機能ボタン（１５０１、１５０２、１５０３）は、どの機能の画面を表示していても表示領域内の上方部にタブ形式で表示させるようにし、どの画面からもアクセス可能にする。
【０１４２】
図１３のフローチャートのステップＳ１３０２、１３０５、１３１３の判断では、上述した各機能ボタン（１５０１、１５０２、１５０３）のどのキーがユーザにより押下された状態であるかを、表示部１４０１からの情報に基づいて処理している。例えば、コピー機能ボタン１５０１がユーザにより押下されればコピー機能が選択されたと判断し（ステップＳ１３０２の判断でＹＥＳ）、表示部１４０１に図１５のコピー機能の操作画面を表示させ、且つ、ステップＳ１３０３の処理へ移行するように制御し、一方、送信／ファックス機能ボタン１５０２がユーザにより押下されれば送信機能が選択されたと判断し（ステップＳ１３０５の判断でＹＥＳ）、表示部１４０１に図１６の送信機能の操作画面を表示させ、ステップＳ１３０６の処理へ移行するように制御し、一方、ボックス機能ボタン１５０３がユーザにより押下されればボックス機能が選択されたと判断し（ステップＳ１３０２の判断でＹＥＳ）、表示部１４０１に図１７のボックス機能の操作画面を表示させ、且つ、ステップＳ１３０４の処理へ移行するように制御する。
【０１４３】
コピーを行う場合（ステップＳ１３０２でＹＥＳの場合）は、ステップＳ１３０３にて、読み取り原稿をＭＦＰ１０１の原稿台、あるいは、ＭＦＰ１０１が有する自動原稿給送装置であるＡＤＦ（オートドキュメントフィーダー）にセットする。次に、ステップＳ１３０３にて読み取り原稿に対する印刷出力設定をユーザにより実行させる。この印刷出力設定は、表示部１４０１に表示させる、コピーのメイン画面である図１５の操作画面から行う。例えば、第１の実施形態の図７の７０４で前述した部数、片面両面、ソート、ステイブル、綴じしろ、出力トレイ設定に加えて、モード設定（文字／文字写真／写真）、濃度調整、縮小レイアウト、ページ連写などが設定可能である。そして、操作部２０３のスタートキー１４０３が押下されたことに応答し、セットされた原稿の読取処理をスキャナ部２０１に実行させ、該読み取りデータを、例えば、ハードディスク２１１等のメモリに格納させ、該記憶したデータのプリント処理を、上記コピー機能におけるユーザの設定した印刷条件に従って、プリンタ部２０２に実行させる（ステップＳ１３１６）。
【０１４４】
次に、送信を行う場合（ステップＳ１３０５でＹＥＳの場合）は、ステップＳ１３０６にて、読み取り原稿をＭＦＰ１０１の原稿台、あるいは、ＭＦＰ１０１の有するＡＤＦ（オートドキュメントフィーダー）にユーザによりセットさせる。次に、表示部１４０１に表示させた、送信機能の操作画面を介して、該送信対象となるドキュメントの為の送信処理条件をユーザにより設定させる（ステップＳ１３０７）。この送信設定は、送信のメイン画面である図１６の操作画面等から行う。例えば、図１６の設定画面を含む送信機能を設定画面を介して、送信対象となるドキュメント（原稿データ）の宛先の設定や、読み込み設定（解像度）の設定や、ファイル形式（ＴＩＦＦ、ＰＤＦ、ＪＰＥＧ）の設定をユーザにより実行させる。
【０１４５】
ここで、図１６の操作画面の表示構成要素である各ボタン（１６０１〜１６０４）について第１の実施形態の図１０と対応させながら説明を行う。尚、この例では、取扱うデータを、スキャナ部２０１を介して入力されるスキャンデータとするが、第１の実施形態で述べたＭＦＰ１０１が具備する記憶装置１０６内のボックスには、ＰＣ１０３やＰＣ１０４等のＭＦＰ１０１とは異なる装置から入力されるデータ（ＰＤＬデータ、或いは、該ＰＤＬデータの展開処理済みのビットマップデータ）やスキャナ部から入力したスキャンデータを格納可能にしているので、ＭＦＰ１０１の操作部２０３からボックス内のデータを送信させる場合でも同様な操作が可能である（この点については後述する）。
【０１４６】
ローカルＵＩに相当するＭＦＰ１０１の表示部１４０１（図１４）に表示させる図１６の操作画面上の「ファイル」ボタン１６０１は、リモートＵＩであるＰＣ１０３の表示部４０１に表示させる図１０の操作画面の指示部１００１のファイル送信ボタンを介してＰＣ１０３のユーザがＭＦＰ１０１に対してリモートから（遠隔のＰＣ１０３等から）命令可能にする指示と同等の指示を、ＭＦＰ１０１の操作部２０３を操作するユーザが、ＭＦＰ１０１に対して、ローカルから（ＭＦＰ１０１自身の操作部２０３から）、命令可能にする為の、ボタンである。
【０１４７】
ローカルＵＩに相当するＭＦＰ１０１の表示部１４０１に表示させる図１６の操作画面上の「電子メール」ボタン１６０２は、リモートＵＩであるＰＣ１０３の表示部４０１に表示させる図１０の操作画面の指示部１００１のＥ−ｍａｉｌ添付送信ボタンを介してＰＣ１０３のユーザがＭＦＰ１０１に対してリモートから（遠隔のＰＣから）命令可能にする指示と同等の指示を、ＭＦＰ１０１の操作部２０３を操作するユーザが、ＭＦＰ１０１に対して、ローカルから（ＭＦＰ１０１自身の操作部２０３から）、命令可能にする為の、ボタンである。
【０１４８】
ローカルＵＩに相当するＭＦＰ１０１の表示部１４０１に表示させる図１６の操作画面上「ボックスに保管」ボタン１６０３は、スキャナ部２０１から入力するスキャンデータをＭＦＰ１０１の記憶装置内のユーザが指定したボックスに保存させる為の指示を入力する為のボタンである（このボタンに対応するボタンは図１０のリモートＵＩ画面には無い）。
【０１４９】
ローカルＵＩに相当するＭＦＰ１０１の表示部１４０１に表示させる図１６の操作画面上の「ファイルサイズ確認ボタン」１６０４は、リモートＵＩであるＰＣ１０３の表示部４０１に表示させる図１０の操作画面のファイルサイズ確認ボタン１００３介してＰＣ１０３のユーザがＭＦＰ１０１に対してリモートから（遠隔のＰＣから）命令可能にする指示と同等の指示を、ＭＦＰ１０１の操作部２０３を操作するユーザが、ＭＦＰ１０１に対して、ローカルから（ＭＦＰ１０１自身の操作部２０３から）、命令可能にする為のボタンであり、尚且つ、図１１のリモートＵＩの表示部１１０１を介してリモートのユーザに提供可能にしているサービスと同等のサービスを、ＭＦＰ１０１の操作部の表示部１４０１を介してローカルのユーザに提供する為のボタンである。
【０１５０】
即ち、このボタン１６０４をＭＦＰ１０１のユーザが押下することで、ＭＦＰ１０１に保持している送信対象のデータ（この例では、スキャンデータ）の送信時のデータサイズを、ＭＦＰ１０１自身が具備する表示部１４０１を介して、該ＭＦＰ１０１のユーザにより確認可能にしている。
【０１５１】
尚、図１６のローカルＵＩ例では不図示ではあるが、送信ファイル圧縮率の設定を行うことも、操作部２０３の表示部１４０１に表示させる送信設定画面を介してＭＦＰ１０１のユーザにより設定可能にしている。これは、リモートＵＩの指示部１００２の送信ファイル圧縮率での設定に対応する設定である。
【０１５２】
尚、ユーザは、送信用のデータの送信時のデータのサイズ（ファイルサイズ）を送信前にＭＦＰ１０１の操作部２０３の表示部１４０１を介して事前に確認したければ、ステップＳ１３０７の段階において、各種の送信処理条件の設定（送信条件パラメータの入力）を、図１６の送信機能のための操作画面にて行う共に、図１６の操作画面のファイルサイズ確認ボタン１６０４を、少なくとも、操作部２０３のスタートキー１４０３を押下する前に、押下しておく（タッチしておく）。
【０１５３】
又、ＭＦＰ１０１の制御部が自装置の表示部１４０１に実行させる、上記ＭＦＰ１０１にてユーザに送信機能における送信対象となるファイル（ドキュメントとも呼ぶが、ジョブデータとも呼ぶ）の送信処理条件をＭＦＰ１０１のユーザにより入力可能にする為の表示（図１６の各種の設定ボタン）は、第１実施形態で言うところの第１の表示に対応する。そして、第２実施形態における該第１表示を介してＭＦＰ１０１のユーザにより設定された送信処理条件に従って送信用のデータとして作成される送信ジョブのデータの送信時のデータサイズをＭＦＰ１０１に実際に該データをデータ送信させる前に事前に該ＭＦＰ１０１のユーザに対して報知させる指示を該ＭＦＰ１０１のユーザにより入力可能にする為の表示（図１６のファイルサイズ確認ボタン）は、第１実施形態でいうところの第２の表示に対応する。
【０１５４】
このように、本実施形態の情報処理システムは、第１実施形態のようにリモートから制御可能なＭＦＰ１０１に対する動作や、リモートにて享受できるＭＦＰ１０１に関するサービス、等と、同じ動作やサービスを、ローカル側のＭＦＰ１０１の操作部を介して実現可能にすることで、本実施形態の装置、システムでの操作性を最大限に向上させ、なお且つ、従来技術のような問題がリモート環境（ＭＦＰ１０１を遠隔操作する環境）で発生することを防止するだけでなく、ローカル環境（ＭＦＰ１０１をＭＦＰ１０１自身の操作部にて非遠隔操作する環境）で発生することをも防止出来るようにしており、リモートであろうが、ローカルであろうが、従来技術のような問題が発生するのを未然に防止して、可能な限り最大限に操作性を向上可能に構成している。
【０１５５】
ステップＳ１３０７における操作部２０３での送信機能に関するユーザによる送信設定終了後、該ユーザにより操作部２０３のスタートキー１４０３が押下されたことに応答し、ＭＦＰ１０１の制御部は、原稿台或いはＤＦにセットされた原稿の読取処理をスキャナ部２０１に実行させ、該スキャンデータを、適当なメモリ（例えば、記憶装置１０６等。尚、このデータは、ボックス領域６０２に格納しなくてもよく、例えば、テンポラリ領域６０１に格納するようにしてもよい。但し、一連の原稿が複数ページからなるドキュメントデータであることを考慮し、少なくとも、複数ページ分のデータを記憶可能なメモリに格納可能にし、ページ順に入力したスキャンデータを順次メモリに格納できるような構成が好ましい。）に、格納させる。
【０１５６】
そして、ＭＦＰ１０１の制御部は、スキャナ部２０１から取り込んだスキャンデータから、操作部２０３を介してＭＦＰ１０１のユーザにより設定された送信処理条件（送信設定パラメータ）に基づいて、送信用データ（送信用ファイルとも呼ぶ）を、所定の画像処理ユニット（例えば、画像処理部２１５、画像回転部２１７、画像圧縮部２１８の必要なユニット等）に、作成させるわけだが、ここで、ＭＦＰ１０１の制御部は、先のステップＳ１３０７の段階において、ＭＦＰ１０１のユーザが操作部２０３の表示部１４０１に表示させた図１６の操作画面においてファイルサイズ確認ボタン１６０４を押下してファイルサイズ要求指示を入力したか否かをチェックする（ステップＳ１３０８）。
【０１５７】
ステップＳ１３０８の判断で、表示部１４０１のファイルサイズ確認ボタン１６０４を介してＭＦＰ１０１のユーザからファイルサイズ確認要求が指示された場合には、ステップＳ１３０９へ進む。ステップＳ１３０９〜１３１２の処理は、第１の実施形態で説明したステップＳ７０７〜７１１と略同様であるが、第２の実施形態では、ＭＦＰのＵＩを使用しているため、ＰＣとの通信は行っていない。例えば、ステップＳ１３１０は、図８のステップＳ８０２〜８０４の処理を行う。
【０１５８】
尚、具体的な例としては、例えば、ＭＦＰ１０１の制御部は、以下のような制御を行う。スキャンデータをハードディスク２１１のテンポラリ領域６０１（ボックス領域６０２でもよい）に格納させる。該取り込んだスキャンデータから、先のステップＳ１３０７の処理等を経て、ＭＦＰ１０１のユーザが図１６の操作画面等の送信機能における送信条件設定画面を介して設定した送信条件（送信方式に関する設定や送信ファイルの圧縮率に関する設置等）に従った送信用データ（送信用ファイルとも呼ぶ。例えば、低圧縮設定なら低圧縮データ。普通圧縮設定なら普通圧縮済データ。高圧縮設定なら高圧縮処理済データ等）を、ＭＦＰ１０１が具備する所定のデータ処理ユニット（例えば、画像圧縮部２１８）に作成させる（ステップＳ１３０９の処理に相当）。その送信用に作成したデータを、上記テンポラリ領域６０１等の適当なメモリに、保持させる（このデータは、少なくとも、ファイルサイズを確認したユーザからの指示が入力されるまでの期間は、消去せずにメモリに保持しておく）。以上までの処理が、ステップＳ１３０９の処理に対応する。
【０１５９】
そして、該データのメモリ使用量などをチェックすることで、該送信用のデータのファイルサイズ情報を計算（獲得）する（ステップＳ１３１０）。
【０１６０】
そして、その情報を、ファイルサイズ確認ボタン１６０４を押下したユーザにフィードバックすべく、第１実施形態の図１１と同様な操作画面を、ＭＦＰ１０１の操作部２０３の、図１６のファクシミリ機能の操作画面を表示した表示部１４０１（図１４）に、表示させるよう制御する（ステップＳ１３１１）。即ち、ＭＦＰ１０１の制御部（ＣＰＵ２０５）は、送信対象となるドキュメントデータ（この例では、スキャナ部２０１でスキャンしてテンポラリ領域６０１に取り込んだデータ）から、本第２実施形態での上記第１表示（図１６等の送信機能の設定に関わるローカルＵＩ）を介して設定された送信処理条件に従って作成される、送信用のジョブデータの、データサイズを、本第２実施形態での上記第２表示（図１６のファイルサイズ確認ボタン１６０４）を介してファイルサイズ提示要求指示を入力したユーザに、報知確認可能にする為の表示（図１１の表示１１０１に相当。第１実施形態での第３表示に相当）を、ＭＦＰ１０１の操作部２０３に、実行させるよう制御する。
【０１６１】
尚且つ、ＭＦＰ１０１の制御部（ＣＰＵ２０５）はその送信時のデータサイズが如何なる送信処理条件のもとで計算されたのか、その、本第２実施形態での上記第１表示を介して設定した送信処理条件を、本第２実施形態での上記第４表示を介してデータサイズ情報を確認したユーザに対して、通知確認可能にする為の表示を、ＭＦＰ１０１の操作部２０３に、実行させるよう制御する（第１実施形態では第４表示に相当）。
【０１６２】
尚且つ、ＭＦＰ１０１の制御部（ＣＰＵ２０５）は、該操作部２０３に実行させた、本第２実施形態での上記第３表示及び第４表示（或いは、少なくとも第３表示）、を介して送信時の実際のデータ量（及び処理条件）を該ＭＦＰ１０１のユーザが確認したうえで、そのデータサイズ（その送信処理条件）でＭＦＰ１０１から上記第１表示を介して指定した相手先（例えば、ＰＣ１０３やＰＣ１０４や他のＭＦＰなど）に送信させる指示を該ユーザにより入力可能にする為の表示を、該操作部２０３に実行させる（この表示は、図１１の送信ボタン１１０３と同様のボタン。第１実施形態での第５表示に相当）。
【０１６３】
尚且つ、ＭＦＰ１０１の制御部（ＣＰＵ２０５）は、該操作部２０３に実行させた、本第２実施形態での上記第３表示及び第４表示（或いは、少なくとも第３表示）、を介して送信時の実際のデータ量（及び処理条件）を該ＭＦＰ１０１のユーザが確認したうえで、そのデータサイズ（その送信処理条件）でＭＦＰ１０１から上記第１表示を介して指定した相手先（例えば、ＰＣ１０３やＰＣ１０４や他のＭＦＰなど）に送信することをキャンセル（禁止）させる指示を該ユーザにより入力可能にする為の表示を、該操作部２０３に実行させる（この表示は、図１１のキャンセルボタン１１０４と同様のボタン。第１実施形態での第６表示に相当）。
【０１６４】
尚且つ、ＭＦＰ１０１の制御部（ＣＰＵ２０５）は、該操作部２０３に実行させた、本第２実施形態での上記第３表示及び第４表示（或いは、少なくとも第３表示）、を介して送信時の実際のデータ量（及び処理条件）を該ＭＦＰ１０１のユーザが確認したうえで、そのデータサイズ（その送信処理条件）でＭＦＰ１０１から上記第１表示を介して指定した相手先（例えば、ＰＣ１０３やＰＣ１０４や他のＭＦＰなど）に送信することをキャンセル（禁止）し、且つ、先の第１表示を介して設定した送信処理条件をユーザにより再設定可能にする為の指示を該ユーザにより入力可能にする為の表示を、該操作部２０３に実行させる（この表示は、図１１の再設定ボタン１１０２と同様のボタン。第１実施形態での第７表示に相当）。
【０１６５】
ＭＦＰ１０１の制御は、以上のような表示（第２実施形態での第１表示〜第７表示）を、ＭＦＰ１０１自身の操作部２０３に、実行可能に制御する。
【０１６６】
尚、例えば、操作部２０３の表示部１４０１にて、図１６の操作画面を表示させた後に、図１１と同様なポップアップ画面を該表示部１４０１に表示させるようにしても良い。このように第２実施形態での上記第３表示〜第７表示を同時に操作部に実行させるように構成しても良いが、第３表示〜第７表示を、操作部２０３に、それぞれ、別画面で表示させたり、一部は同一画面で、他の表示は別画面で、表示させる等の表示制御でも良い。
【０１６７】
そして、ＭＦＰ１０１の制御部（ＣＰＵ２０５）は、本第２実施形態での第３表示を介して送信時のデータサイズを確認したユーザにより本第２実施形態での第５表示を介して送信指示がＭＰＦ１０１のユーザにより入力された場合には、ステップＳ１３０９の処理を経て作成済みの送信用のジョブデータを、ＭＦＰ１０１から送信先の装置へデータ送信させる（送信を許可する）よう制御する（ステップＳ１３１２でＹＥＳ→ステップＳ１３１７の処理に相当）。
【０１６８】
一方、本第２実施形態での第３表示を介して送信時のデータサイズを確認したユーザにより本第２実施形態での第６表示を介してキャンセル指示がＭＰＦ１０１のユーザにより入力された場合には、ステップＳ１３０９の処理を経て作成済みの送信用のジョブデータを、ＭＦＰ１０１から送信先の装置へデータ送信させることを禁止して、例えば、該作成した送信用データを上記メモリから削除して、本処理を終了する（図１３では不図示）。
【０１６９】
一方、本第２実施形態での第３表示を介して送信時のデータサイズを確認したユーザにより本第２実施形態での第７表示を介して再設定指示がＭＰＦ１０１のユーザにより入力された場合には、ステップＳ１３０９の処理を経て作成済みの送信用のジョブデータを、ＭＦＰ１０１から送信先の装置へデータ送信させることを禁止して、例えば、該作成した送信用データを上記メモリから削除し、再度、送信条件の再設定をユーザにより実行可能にする（ステップＳ１３１２でＮＯ→ステップＳ１３０９の処理に戻るフローに相当）。
【０１７０】
このように、ＭＦＰ１０１に取り込んだデータを、ＭＦＰ１０１の操作部２０３からの操作で、ＭＦＰ１０１以外の他の装置へデータ転送させる場合においても、上記第１実施形態と同様に、上記従来技術のような問題を解決でき、且つ、上記効果と同等効果を得られるように構成している。
【０１７１】
次に、ＭＦＰ１０１のＵＩからボックスデータ（記憶装置１０６内のボックスに格納されている、スキャナ部２０１から入力した画像データ或いはＰＣ１０３、１０４等の外部装置から入力された画像データ。ドキュメントデータとも呼ぶ）を扱う場合は、ステップＳ１３１４にて、ファイル（ドキュメントデータ）を選択する。このファイル選択は、ボックスのメイン画面である図１７から行う。以降の処理（ステップＳ１３１５、ステップＳ１３１８，ステップＳ１３１９、ステップＳ７０４〜７１１）については、第１の実施形態のＰＣ１０３のＲｅｍｏｔｅＵＩからＭＦＰ１０１のボックスデータを扱う場合と同様であるため説明を省略する（すなわち、図１３のステップＳ１３１５、ステップＳ１３１８，ステップＳ１３１９は、それぞれ図７のステップＳ７０３，ステップＳ７１２、ステップＳ７１３と同様の処理である）。但し、第２の実施形態では、ＭＦＰのＵＩを使用しているため、ＰＣとの通信は行っていない点は第１の実施形態と異なる。
【０１７２】
以下に、第１の実施形態と異なる主要部分の一例を説明する。
【０１７３】
ＭＦＰ１０１の制御部は、ＭＦＰ１０１の表示部１４０１に表示させた図１５の操作画面上のボックス機能ボタン１５０３がユーザにより押下されたことによりボックス機能が選択されたことを確認し、表示部１４０１に図１７（ａ）のようなボックス機能のための操作画面を表示させる（ステップＳ１３１３の判断でＹＥＳ）。
【０１７４】
図１７（ａ）のＭＦＰ１０１にて表示させるローカルＵＩとしての操作画面と、第１実施形態のＰＣ１０３の表示部４０１に表示させるリモートＵＩとしての図９（ｂ）の操作画面は、両方ともＭＦＰ１０１のボックス機能を操作する為の画面であり、どちらもＭＦＰ１０１のボックスの情報を表示しており、リモートでもローカルでも同じ操作が出来るように制御している。尚、リモートＵＩを使う場合には、ＭＦＰ１０１の制御部とＰＣ１０３の制御部が協働して動作可能にし、ローカルＵＩを使う場合には、ＭＦＰ１０１の制御部で単独で動作可能にする。これらを比較してみても分るように、本情報処理システムでは、ＰＣ側でＭＦＰ１０１に関わる情報を表示させる場合でも、ＭＦＰ１０１側でＭＦＰ１０１に関わる情報を表示させる場合でも、その表示形式は若干違えども（一方はマウスを使って操作、他方がタッチパネルで操作等）、同一若しくは類似するような操作画面を提供可能に制御しており、ユーザがＰＣから操作する場合でもＭＦＰから操作する場合でも、同等の指示をＭＦＰ１０１に対して要求可能にし、ユーザの所望の動作をＭＦＰ１０１に対して実行可能に構成している。
【０１７５】
ステップＳ１３１４では、ＭＦＰ１０１の表示部１４０１に表示させた図１７（ａ）のボックス機能の設定画面を介してファイルをユーザにより選択させる。例えば、先の第一実施形態と同様に、ＭＦＰ１０１の操作部２０３に表示させた図１７（ａ）のボックス選択画面において、ＭＦＰ１０１のユーザがボックス番号０１のushiyamaのボックスをタッチパネルにて押下したとする。するとＭＦＰ１０１の制御部は、図１７（ｂ）のような、上記ボックス選択画面においてユーザにより選択されたボックスの中に格納されている文書データの中からユーザにより所望の文書データを選択可能にする為のドキュメント選択画面を、ＭＦＰの操作部２０３の表示部１４０１に、表示させる。図１７（ｂ）のドキュメント選択画面の選択部１７０１は、該ボックス内のドキュメントをユーザにより選択可能にする為の操作指示機能を具備し、且つ、各ドキュメント毎に、ドキュメントの種類や文書名や用紙サイズやページ数や該ボックスへの格納日時をユーザに確認可能にする為の情報提供機能を具備する。図１7（ｂ）では、先の第１実施形態と同様に、選択部１７０１を介してＭＦＰ１０１のユーザによりfilelのドキュメント（ファイル）が選択されている例を示す。
【０１７６】
そして、図１７（ｂ）の操作画面上の印刷ボタンを介してユーザによりプリント指示が入力されたら、ＭＦＰ１０１の制御部は、ボックスプリント機能が選択されたと判断し（ステップＳ１３１５の判断にて印刷と判断した場合に相当）、図１７（ｂ）で選択されたボックスのドキュメントデータを、不図示の印刷処理条件設定画面を介してユーザにより設定された印刷処理条件（印刷部数や用紙サイズやステイプルモード等の各種後処理モード等に関する各種の印刷条件設定パラメータ）でもって、プリンタ部２０２により、印刷させるよう制御する（ステップＳ１３１８の処理に相当）。尚、この場合、印刷モードであるがゆえ、ＭＦＰ１０１の制御部は、上記形態で述べた効果と同等効果をローカルＵＩでも得られるようにすべく、後述するような送信時の為のデータサイズ計測処理やデータサイズ計測結果表示処理の実行を禁止するよう制御している。
【０１７７】
一方、図１７（ｂ）の操作画面上の送信ボタン１７０２を介してユーザにより送信指示が入力された場合には、ＭＦＰ１０１の制御部は、ボックスデータの送信機能が選択されたことを判断し（ステップＳ１３１５の判断にて送信と判断した場合に相当）、その選択されたドキュメントに対する送信処理条件をユーザにより設定可能にする為の送信設定画面を、表示部１４０１に、表示させる。図１７（ｃ）にその操作画面例を示す。
【０１７８】
図１７（ｃ）の送信設定画面を介して、ここでは、ユーザが、電子メールボタン１７０３の押下により表示部１４０１に表示させる不図示の宛先設定画面にて、先の第１実施形態の送信先と同様にＰＣ１０４の電子メールアドレスを入力し、該ＰＣ１０４に対して、電子メール方式で、図１７（ｂ）のドキュメント選択画面で選択したfilelのドキュメントデータを、ＭＦＰ１０１により送信処理させようと設定している例である。尚且つ、更なる送信処理条件の１項目として、このドキュメントをＰＣ１０４に送信するにあたり、ファイル形式をＰＤＦ形式で送信させるべく、ＰＤＦ及びＴＩＦＦ及びＭＴＩＦＦ等を含む複数の選択候補の中からユーザにより所望のファイル形式を選択可能にする為のファイル形式選択欄１７０５を介してＰＤＦを設定している例である。
【０１７９】
そして、図１７（ｃ）の操作画面を含む送信設定画面を介してユーザにより所望の送信設定がなされたうえで、図１７（ｃ）の操作画面上のファイルサイズ確認ボタン１７０４がユーザにより押下されたら、これを受け、ＭＦＰ１０１の制御は、図１７（ａ）の操作画面を介してユーザにより選択されたボックス（この例では、ボックス番号０１のushiyamaのボックス）内に格納されている、図１７（ｂ）の操作画面を介して該ユーザにより選択されたドキュメント（この例では、filel）を、図１７（ｃ）等の送信設定画面を介して該ユーザにより設定された送信処理条件（電子メール送信、ＰＤＦファイル形式）でもって、該ユーザが指定した宛先（この例ではＰＣ１０４）に、送信させる場合の、送信データサイズを算出する。算出方法は、オリジナルデータのデータサイズと処理条件をもとに算出したり、実際にユーザにより指定された処理条件に従って送信用ファイルを、該選択されたドキュメントのオリジナルデータをもとに作成し、その作成した送信用データのサイズをチェックする方法などを行う。そして、算出した送信データサイズ情報を、該ユーザに報知すべく、例えば、その送信データサイズの計測結果を、ＭＦＰ１０１の操作部２０３に、表示させるよう制御する。例えば、ＭＦＰ１０１の制御部は、表示部１４０１に表示させた図１７（ｃ）の操作画面上に、図１７（ｄ）のような送信時のデータサイズをユーザに報知する送信データサイズ確認画面１７０００をポップアップ表示させる。
【０１８０】
このように、ファイルサイズ確認ボタン１７０４の押下によるＭＦＰ１０１のユーザからの送信時のデータサイズ要求指示が入力された場合に、ＭＦＰ１０１の制御部は、図１７（ｄ）に示すが如く、上記ユーザにより選択されたボックス内の上記ユーザにより選択されたファイルを上記ユーザにより設定された送信処理条件に従って上記ユーザにより指定された宛先の装置に本ＭＦＰ１０１からデータ送信させる場合の、そのファイルの送信時のデータサイズを、該ユーザにより確認可能にする為の表示（この例では、送信データサイズ確認表示領域１７０６に相当）を、操作部２０３に実行させる。この表示は、先の形態でいうところの、第３表示に対応する。
【０１８１】
尚且つ、ＭＦＰ１０１の制御部は、図１７（ｄ）に示すが如く、送信データサイズ確認表示領域１７０６でユーザに提示している送信データサイズは、如何なる送信処理条件を設定した場合なのであるかを該ユーザ自身に再確認させるべく、該データサイズの算出で用いた判断材料でもある、該ユーザにより設定された送信処理条件を該ユーザ自身に通知する為の表示（この例では、送信設定確認表示領域１７０７に相当）を、操作部２０３に、実行させる。この表示は、先の形態でいうところの、第４表示に対応する。
【０１８２】
この例では、ＭＦＰ１０１のユーザは、これら第３、第４表示をチェックすることで、自分の設定した送信条件で、ＰＣ１０４に対してデータ送信させようとすると、１２Ｍｂｙｔｅでデータ送信されることが、実際にデータ送信する前に事前に確認できる。
【０１８３】
そして、更に、ＭＦＰ１０１の制御部は、例えば、図１７（ｄ）に示すが如く、ユーザが自分自身で設定した送信処理条件を表示領域１７０７を介して確認し、且つ、この送信設定の場合に如何なるデータサイズでデータ送信されるのかを表示領域１７０６を介して確認したうえで、この送信処理条件に基づいてオリジナルデータから作成される送信用データを、ＭＦＰ１０１により実際にデータ送信させる指示をユーザにより入力する為の表示（この例では、送信ボタン１７０９に相当）を、操作部２０３に、実行させる。この表示は、先の形態でいうところの、第５表示に対応する。
【０１８４】
そして、更に、ＭＦＰ１０１の制御部は、例えば、図１７（ｄ）に示すが如く、ユーザが自分自身で設定した送信処理条件を表示領域１７０７を介して確認し、且つ、この送信設定の場合に如何なるデータサイズでデータ送信されるのかを表示領域１７０６を介して確認したうえで、この送信処理条件に基づいてオリジナルデータから作成される送信用データを、ＭＦＰ１０１から実際にデータ送信させることをキャンセルする（禁止する）指示をユーザにより入力する為の表示（この例では、キャンセルボタン１７１０に相当）を、操作部２０３に、実行させる。この表示は、先の形態でいうところの、第６表示に対応する。
【０１８５】
そして、更に、ＭＦＰ１０１の制御部は、例えば、図１７（ｄ）に示すが如く、ユーザが自分自身で設定した送信処理条件を表示領域１７０７を介して確認し、且つ、この送信設定の場合に如何なるデータサイズでデータ送信されるのかを表示領域１７０６を介して確認したうえで、この送信処理条件に基づいてオリジナルデータから作成される送信用データを、ＭＦＰ１０１から実際にデータ送信させることをキャンセルし（禁止し）、且つ、送信処理条件を該ユーザ自身により再設定可能にする為の指示を該ユーザにより入力可能にする為の表示（この例では、際設定ボタン１７０８に相当）を、操作部２０３に、実行させる。この表示は、先の形態でいうところの、第７表示に対応する。
【０１８６】
尚、先の形態と同様、これら第３表示〜第７表示を、図１7（ｄ）のように、同一画面上で同時に表示させるような構成でなくてもよく、別画面表示で構成しても良い。
【０１８７】
以上のような、前提のうえで、図１７（ｄ）の操作画面の送信ボタン１７０９を介してＭＦＰ１０１のユーザにより送信指示が入力された場合には、該ＭＦＰ１０１の制御部は、図１７（ｂ）の操作画面にてユーザにより選択されたドキュメントデータから図１７（ｃ）の画面を含む送信処理条件設定画面を介してＭＦＰ１０１のユーザにより設定された送信処理条件に基づいた作成した送信用データ（この例では、電子メール対応のＰＤＦデータ）を、該ユーザの指定した宛先（この例では、ＰＣ１０４）に、所定の通信媒体を介して（この例では、ＬＡＮ１０５）、所定のデータ通信ユニット（この例では、ネットワーク部２０８）によりデータ送信させるよう制御する（送信を許可する）。この処理はステップＳ１３１９の処理に相当する。
【０１８８】
一方、図１７（ｄ）の操作画面のキャンセルボタン１７１０を介してＭＦＰ１０１のユーザによりキャンセル指示が入力された場合には、該ＭＦＰ１０１の制御部は、図１７（ｂ）の操作画面にてユーザにより選択されたドキュメントデータから図１７（ｃ）の画面を含む送信処理条件設定画面を介してＭＦＰ１０１のユーザにより設定された送信処理条件に基づいた作成した送信用データ（この例では、電子メール対応のＰＤＦデータ）を、該ユーザの指定した宛先（この例では、ＰＣ１０４）に、所定の通信媒体を介して（この例では、ＬＡＮ１０５）、所定のデータ通信ユニット（この例では、ネットワーク部２０８）によりデータ送信させることを禁止し、例えば、送信用データを既に作成済みの場合なら、該データを保持させているメモリ（例えば、ハードディスク２１１のテンポラリ領域６０１）から消去させるよう制御する。
【０１８９】
一方、図１７（ｄ）の操作画面の再設定ボタン１７０８を介してＭＦＰ１０１のユーザにより再設定指示が入力された場合には、該ＭＦＰ１０１の制御部は、図１７（ｂ）の操作画面にてユーザにより選択されたドキュメントデータから図１７（ｃ）の画面を含む送信処理条件設定画面を介してＭＦＰ１０１のユーザにより設定された送信処理条件に基づいた作成した送信用データ（この例では、電子メール対応のＰＤＦデータ）を、該ユーザの指定した宛先（この例では、ＰＣ１０４）に、所定の通信媒体を介して（この例では、ＬＡＮ１０５）、所定のデータ通信ユニット（この例では、ネットワーク部２０８）によりデータ送信させることを禁止し、例えば、送信用データを既に作成済みの場合なら、該データを保持させているメモリ（例えば、ハードディスク２１１のテンポラリ領域６０１）から消去させ、尚且つ、例えば、図１７（ｃ）の操作画面を、再度、操作部２０３の表示部１４０１に表示させ、ユーザにより先に設定済みの送信処理条件を該ユーザによりあらためて再設定できるように制御する。そして操作部２０３に再表示させた図１７（ｃ）の操作画面を介して処理条件の再設定がユーザにより行われ（例えば、先の送信処理条件では送信時のデータサイズが１２Ｍｂｙｔｅだった該送信対象のドキュメントデータを、４Ｍｂｙｔｅでデータ送信させるような送信処理条件にユーザが設定変更するなど）、ファイルサイズボタン１７０４が再度押下されたら、ＭＦＰ１０１の制御部は、再度、操作部２０３に、表示画面１７０００の表示を実行させ、該画面１７０００を介して、ユーザにより送信処理条件が再設定された場合の、該設定変更後の送信時のデータサイズを、該ユーザにより確認させ、そのうえで、ユーザが、その時点で、送信ボタン１７０９を押下したら、その再設定された送信処理条件でもって該ユーザの所望の宛先（この例では、ＰＣ１０４）に、データ送信させるよう制御する。
【０１９０】
これにより、例えば、ＭＦＰ１０１から第１の送信データサイズ（例えば１２Ｍｂｙｔｅ）でデータ送信されるような第１の送信処理条件（例えば低圧縮設定）を、ユーザが、意図的、或いは、気づかずに、ＭＦＰ１０１の操作部１０２にて設定した場合に、上記サイズ情報の報知処理を操作部３０２で実行することにより、その設定だと１２Ｍｂｙｔｅでデータ送信されることを該ＭＦＰ１０１の操作部３０２を介してユーザに把握確認させ、そのことを気づいた該ユーザにより、該データサイズよりも送信データ量が小さい第２の送信データサイズ（例えば４Ｍｂｙｔｅ）になるような第２送信処理条件を、上記操作部３０２を介して、設定変更させ（低圧縮設定から高圧縮設定に変更させ）、そして、再度、上記サイズ情報の報知処理を操作部３０２で実行することで、この設定変更後の第２送信処理条件だと４Ｍｂｙｔｅでデータ送信できるということを該ユーザに確認させたうえで、そのうえで、この４Ｍｂｙｔｅのデータサイズでもって所望の相手先にデータ送信するよう該ユーザにより該操作部３０２を介して指示できるようにし、その指示に基づいたデータ送信動作をＭＦＰ１０１に実行可能に構成することが出来る。
【０１９１】
勿論、該ＭＦＰ１０１をローカルＵＩで操作しているＭＦＰ１０１のユーザ自身の都合や現在の時間帯やネットワークの状況や相手先の状況・能力・性能などを該ユーザが考慮検討した結果、第１の送信データサイズでも特に問題ないと判断した場合には、上記第１の送信処理条件でもって、所望のデータを所望の宛先へＭＦＰ１０１からデータ送信するよう指示することも出来る。このように、ユーザにとってよりよいデータ送信方法でもって送信可能によればよい。
【０１９２】
このように、本形態では、ＭＦＰ１０１からローカル操作する場合において、上記のようにスキャンデータをＭＦＰ１０１から外部装置へ送信する場合でも、ボックス内に保持しているデータをＭＦＰ１０１から外部装置へ送信する場合でも、上記先の形態と同様に、従来技術のような問題が発生するのを未然に防止した、使い勝手のよい環境をユーザに提供でき、上述した各効果と同等の効果を得られるように構成している。
【０１９３】
以上のように、ＭＦＰのボックスに記憶された画像データをホストコンピュータを含むユーザの所望の他の装置へデータ送信する際に、ＭＦＰの操作部（オペレーションパネル）を用いて、ＭＦＰのボックスデータに対して、ファイル選択、ファイルサイズ確認、送信、印刷の制御を行い、さらに読み取り原稿に対してコピー、送信、印刷の制御を行うことが可能である。
【０１９４】
＜第３の実施形態＞
第１および２の実施形態では、ＭＦＰのボックスに記憶された画像データをホストコンピュータへ送信する際に、ＭＦＰのボックスデータに対して、送信方法として、送信ファイル形式（例、ファイル送信）、送信ファイル圧縮率（例、低圧縮）、を各々１つづつ選択した上で、ファイルサイズ確認を行う処理について説明したが、第３の実施形態では、さらに、送信ファイル形式、送信ファイル圧縮率を複数選択した上で、選択された全ての送信方法に関してファイルサイズ確認を行う方法について説明を行う。
【０１９５】
［送信用データサイズの確認方法、送信、印刷の制御方法：図１８〜２０］
以下、第１の実施形態、第２の実施形態の図面に加えて、図１８〜２０を用いて第３の実施形態の詳細について説明する。なお、第３の実施形態は、第１の実施形態のようなホストコンピュータ（第１の情報処理装置の一例）と、画像処理装置（以下、ＭＦＰと称す、第２の情報処理装置の一例）がネットワーク等の伝送媒体を介して接続されたシステムを想定しており、ホストコンピュータ側の基本的なフローチャートは、第１の実施形態と同様であるため、図７を用い、画像処理装置（ＭＦＰ）の処理は、第１の実施形態で使用した図８の代わりに図２０を用いて説明する。
【０１９６】
第１の実施形態、第２の実施形態で説明したように、ＭＦＰ１０１の記憶装置１０６に保存されているボックスデータを例えば、ＰＣ１０４へ送信する際には、図７のステップＳ７０５、または、図１３のステップＳ１３０７にて、送信方法として、送信ファイル形式、及び、送信ファイル圧縮率を指定する。第３の実施形態では、送信ファイル形式、送信ファイル圧縮率の複数選択を行う。
【０１９７】
図１８は、図７のステップＳ７０５にて、表示される送信方法を選択する画面であり、１８０２は、送信ファイル圧縮率が全て（低圧縮、普通圧縮、高圧縮）選択されていることを示す。１８０１、１８０３〜１８０５については、第１の実施形態と同様であるため説明を省略する。ここで、ファイルサイズ確認ボタン１８０３を押すと、ステップＳ７０６のファイルサイズ確認では、ＹＥＳとなり、ステップＳ７０７に進む。ステップＳ７０７では、最初は、再設定を行う必要がないため、ステップＳ７０８へ進む。次に、ステップＳ７０８にてＭＦＰ１０１へ情報送信を行い、送信用ファイルサイズ計測を行う。即ち、前述したような、送信ファイル方式、送信ファイル圧縮率、データタイプなど各種情報をＭＦＰ１０１へ送信する。この時、送信ファイル圧縮率は、全て（低圧縮、普通圧縮、高圧縮）が選択されているという情報を含んでいる。
【０１９８】
［画像処理装置（ＭＦＰ）の処理：図２０］
ＭＦＰ１０１側でのファイルサイズ計測については、図２０のフローチャートを用いて説明を行う。まず、ステップＳ２００１にて、前述した図７のステップＳ７０８におけるＰＣ１０３からの情報の受信を待機し、情報を受信すると、ＭＦＰは、この情報に基づいて、即ち、送信ファイル方式、送信ファイル圧縮率、データタイプに基づいて、送信用ファイルを作成する。次に、ステップＳ２００２にて、選択されたファイル、即ち、記憶装置１０６に保存されているボックスデータの解凍を行う。次に、ステップＳ２００３にて、選択された送信方法の種類をカウントするＮを初期化する。例えば、第３の実施形態では、選択された圧縮率は３通りであるため、選択された送信方法の種類は３であり、Ｎ＝０の時は、低圧縮、Ｎ＝１の時は、普通圧縮、Ｎ＝２の時は、高圧縮とする。
【０１９９】
次に、ステップＳ２００４にて、選択されたファイル、即ち、記憶装置１０６に保存されているボックスデータの解凍を行う。次に、解凍したボックスデータに対して、前述された情報に基づいて、ＪＰＥＧ圧縮を施す。最初は、Ｎ＝０であるため、低圧縮のＪＰＥＧ圧縮の処理が施される。次に、ＭＦＰの制御部は、ステップＳ２００５にて、生成されたファイル、即ち、ＪＰＥＧ圧縮後のファイルのファイルサイズ計測を行う。次に、ステップＳ２００６にて、ステップＳ２００８でＰＣ１０３へ送信するための情報を保存しておく。即ち、低圧縮時のファイルサイズ計測結果が保存される。
【０２００】
次に、ステップＳ２００７へ進むが、ステップＳ２００７では、Ｎ＝０、圧縮率の選択数＝３であるため、ＮＯとなり、ステップＳ２００９へ進み、ステップＳ２００９にてＮに１が加算される。以下同様に、ステップＳ２００４〜ステップＳ２００６において普通圧縮、高圧縮時の処理が行われ、夫々のファイルサイズ計測結果がステップＳ２００６にて保存される。ここで、ステップＳ２００７の条件文が終了すると（ステップＳ７がＹＥＳとなる）、ステップＳ２００８へ進み、ステップＳ２００６にて保存されている情報をＰＣ１０３へ送信する。
【０２０１】
図７のステップＳ７０９にて、これらの情報を受信し、ステップＳ７１０で表示する。図１９は、この時の画面である。１９０１に示すように、低圧縮、普通圧縮、高圧縮時のファイルサイズが示されている。ユーザーは、この中から所望とする送信ファイル圧縮率の選択を行う。例えば、１９０１では、高圧縮が選択されている。そして、１９０３の送信ボタンを押すことで、送信ファイル圧縮率は高圧縮での送信が可能となる。尚、送信ファイル方式を再設定する場合は、１９０２のボタンを押す。また、第３の実施形態では、送信ファイル圧縮率の複数選択を例にあげたが、送信ファイル方式や、データタイプなども複数選択が可能とする。
【０２０２】
以上の説明により、送信ファイル形式、送信ファイル圧縮率を複数選択した上で、選択された全ての送信方法に関してファイルサイズ確認を行うことが可能になる。
【０２０３】
尚、本実施形態は、上記第１〜第３実施形態の各形態の構成を全て兼ね備えている装置、システムでも適用出来るし、１つの実施形態の形態のみの構成を具備する装置、システムでも適用できるし、如何なる組合せの形態でも良い。又、各実施形態で述べていない箇所は、他の形態で述べている構成と基本的に同じものとする。
【０２０４】
又、本実施形態形態（第１〜第３実施形態を含む）では、第２情報処理装置として、複数の機能を具備する（コピー機能や送信機能やボックス機能やプリント機能）ＭＦＰ１０１のような複合機能型装置で説明したが、例えば、少なくとも送信機能を具備する単一機能の装置（ネットワークスキャナ装置）でも適用可能である。勿論上述したように、デジタルカメラなどでもよいし、これら複数の情報処理装置が有線接続でも無線接続でも、本願が着目しているような課題を解決でき、上述したような効果と同等効果が得られる装置、システムならば如何なるものでも適用可能である。
[他の実施形態]
本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【０２０５】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０２０６】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０２０７】
又、自装置にセットされたＣＤ−ＲＯＭ、或いは、インターネット等の外部供給源から、前述した実施形態の機能を実現する為のプログラムデータを、自装置のメモリにダウンロードし、前述した実施形態の機能が実現されるような形態も本発明に包含される。
【０２０８】
本発明を上記記録媒体に適用する場合、その記録媒体には、先に説明したフローチャートに対応するプログラムコードが格納されることが好ましい。
【０２０９】
以上説明したように、本形態によれば、例えば、第１情報処理装置（例えば、ホストコンピュータ）と第２情報処理装置（例えば、ＭＦＰ）とがネットワーク等の伝送媒体を介して接続されたシステムにおいて、第２情報処理装置（例えば、ＭＦＰ）のボックスに記憶された画像データを第１情報処理装置（例えば、ホストコンピュータ）へ送信する際に、送信前に送信用データサイズ（ファイルサイズ）を第１情報処理装置（例えば、ホストコンピュータ）に表示することができる。そのため、ユーザーは、所望とする送信用データサイズの画像データを送信することができる。また、本システムでは、送信、印刷の制御を容易に行うこともできる。さらには、送信ファイル形式、送信ファイル圧縮率を複数選択した上で、選択された全ての送信方法に関してファイルサイズを確認することもできる。
【０２１０】
このように、本形態によれば、例えば、データ送信機能を有する情報処理装置（例えば、デジタル複合機やデジタルカメラやスキャナ装置など）から送信対象となるデータのデータサイズをユーザが事前に確認することができ、例えば、カラーデータやページ数が多い場合等の送信データのデータ量が大きい場合に起こり得る問題を未然に防止でき、従来技術で指摘したような問題に対処できる等の効果を奏す。
【０２１１】
又、例えば、上記のようなデータ送信機能を有する情報処理装置を他の装置から遠隔操作するような場合においても、上記効果を奏することができ、又、該データ送信機能を有する装置自身にておいても、上記効果を奏することが出来る。
【０２１２】
又、例えば、上記のようなデータ送信機能を有する情報処理装置が、デジタル複合機のような、データ送信機能以外にもコピー機能、プリント機能等の複数の機能を有している場合において、従来技術で指摘したような問題が発生するのを防止するがゆえに、コピー機能やプリント機能の当該データ送信機能以外の機能におけるユーザの操作性や使い勝手に影響が出しまう等の不具合が発生してしまう等の問題が起こるのを未然に防止できる。このように、データ送信機能を有する装置が複数の機能を有する場合において、従来技術のような問題を防止すると共に、該装置が具備する他の機能の高操作性の維持との両立を図ることが出来る。
【０２１３】
又、例えば、上述したような各種効果を奏する共に、ユーザからの様々なニーズに柔軟に対応した、使い勝手の良い、便利な、装置、システムを提供できる。
【図面の簡単な説明】
【０２１４】
【図１】第１の実施形態におけるシステムの概略図である。
【図２】第１の実施形態におけるＭＦＰのハードウェア構成を説明する図である。
【図３】第１の実施形態におけるＭＦＰのソフトウェア構成を説明する図である。
【図４】第１の実施形態におけるＰＣのハードウェア構成を説明する図である。
【図５】第１の実施形態におけるＭＦＰの画像圧縮部の概略図である。
【図６】第１の実施形態におけるＭＦＰのボックスの説明図である。
【図７】第１の実施形態におけるＰＣ側の処理を示すフローチャートである。
【図８】第１の実施形態におけるＭＦＰ側の処理を示すフローチャートである。
【図９（ａ）】第１の実施形態におけるＰＣ表示部に表示された操作画面（ＲｅｍｏｔｅＵＩ画面）の一例を示す図である。
【図９（ｂ）】第１の実施形態におけるＰＣ表示部に表示された操作画面（ＲｅｍｏｔｅＵＩ画面）の一例を示す図である。
【図９（ｃ）】第１の実施形態におけるＰＣ表示部に表示された操作画面（ＲｅｍｏｔｅＵＩ画面）の一例を示す図である。
【図１０】第１の実施形態におけるＰＣ表示部に表示された操作画面（ＲｅｍｏｔｅＵＩ画面）一例を示す図である。
【図１１】第１の実施形態におけるＰＣ表示部に表示された操作画面（ＲｅｍｏｔｅＵＩ画面）の一例を示す図である。
【図１２】第１の実施形態におけるＰＣ表示部に表示された操作画面（ＲｅｍｏｔｅＵＩ画面）の一例を示す図である。
【図１３】第２の実施形態におけるＭＦＰの処理を示すフローチャートである。
【図１４】第２の実施形態におけるＭＦＰ表示部に表示された操作画面の一例を示す図である。
【図１５】第２の実施形態におけるＭＦＰ表示部に表示された操作画面の一例を示す図である。
【図１６】第２の実施形態におけるＭＦＰ表示部に表示された操作画面の一例を示す図である。
【図１７（ａ）】第２の実施形態におけるＭＦＰ表示部に表示された操作画面の一例を示す図である。
【図１７（ｂ）】第２の実施形態におけるＭＦＰ表示部に表示された操作画面の一例を示す図である。
【図１７（ｃ）】第２の実施形態におけるＭＦＰ表示部に表示された操作画面の一例を示す図である。
【図１７（ｄ）】第２の実施形態におけるＭＦＰ表示部に表示された操作画面の一例を示す図である。
【図１８】第３の実施形態におけるＰＣ表示部に表示された操作画面（ＲｅｍｏｔｅＵＩ画面）の一例を示す図である。
【図１９】第３の実施形態におけるＰＣ表示部に表示された操作画面（ＲｅｍｏｔｅＵＩ画面）の一例を示す図である。
【図２０】第３の実施形態におけるＭＦＰ側の処理を示すフローチャートである。
【符号の説明】
【０２１５】
１０１  画像処理装置（ＭＦＰ）
１０２〜１０４  ホストコンピュータ
１０５  ネットワーク
１０６  記憶装置
１０７  ボックスデータリスト
【図１】
2006067116.tif 000003
【図２】
2006067116.tif 000004
【図３】
2006067116.tif 000005
【図４】
2006067116.tif 000006
【図５】
2006067116.tif 000007
【図６】
2006067116.tif 000008
【図７】
2006067116.tif 000009
【図８】
2006067116.tif 000010
【図９（ａ）】
2006067116.tif 000011
【図９（ｂ）】
2006067116.tif 000012
【図９（ｃ）】
2006067116.tif 000013
【図１０】
2006067116.tif 000014
【図１１】
2006067116.tif 000015
【図１２】
2006067116.tif 000016
【図１３】
2006067116.tif 000017
【図１４】
2006067116.tif 000018
【図１５】
2006067116.tif 000019
【図１６】
2006067116.tif 000020
【図１７（ａ）】
2006067116.tif 000021
【図１７（ｂ）】
2006067116.tif 000022
【図１７（ｃ）】
2006067116.tif 000023
【図１７（ｄ）】
2006067116.tif 000024
【図１８】
2006067116.tif 000025
【図１９】
2006067116.tif 000026
【図２０】
2006067116.tif 000027